(57)【特許請求の範囲】
【請求項１】
宅内装置と、前記宅内装置とイーサネット（登録商標）フレームを送受信する局内装置と、を備え、
前記局内装置は、
ダウンロードデータを所定サイズのデータブロックに分割して出力する局内側ダウンロード制御部と、
前記宅内装置を制御する制御情報 を出力する局内側ＶＬＡＮ管理部と、
前記局内側ダウンロード制御部から出力された前記データブロックまたは前記局内側ＶＬＡＮ管理部から出力された前記制御情報の少なくとも一方を含み、前記イーサネットフレームの１つであるイーサネットＯＡＭフレームを生成する局内側ＯＡＭフレーム生成部と、
イーサネットフレームを、前記宅内装置との間に設定される所定のＶＬＡＮ（Virtual LAN）を介して前記宅内装置と送受信する局内側インタフェース部と、
前記局内側インタフェース部を介して受信したイーサネットフレームから前記所定のＶＬＡＮのイーサネットフレームを抽出する局内側ＶＬＡＮフィルタ部と、
前記局内側ＶＬＡＮフィルタ部によって抽出された前記所定のＶＬＡＮのイーサネットフレームから、イーサネットＯＡＭフレームを分離する局内側ＯＡＭフレーム分離部と、
前記局内側ＯＡＭフレーム分離部によって分離されたイーサネットＯＡＭフレームから、前記宅内装置に送信した前記制御情報を含んだイーサネットＯＡＭフレームに対する応答を含んだイーサネットＯＡＭフレームを終端する局内側ＯＡＭフレーム終端部と、
を有し、
前記宅内装置は、
前記宅内装置の機種を識別する機種情報を含むインベントリ情報を記憶する宅内側記憶部と、
イーサネットフレームを、前記所定のＶＬＡＮを介して前記局内装置と送受信する宅内側インタフェース部と、
前記宅内側インタフェース部を介して受信したイーサネットフレームから前記所定のＶＬＡＮのイーサネットフレームを抽出する宅内側ＶＬＡＮフィルタ部と、
前記宅内側ＶＬＡＮフィルタ部によって抽出された前記所定のＶＬＡＮのイーサネットフレームから、イーサネットＯＡＭフレームを分離する宅内側ＯＡＭフレーム分離部と、
前記宅内側ＯＡＭフレーム分離部によって分離されたイーサネットＯＡＭフレームから、前記データブロックまたは前記制御情報の少なくとも一方を含んだイーサネットＯＡＭフレームを終端する宅内側ＯＡＭフレーム終端部と、
前記宅内側ＯＡＭフレーム終端部によって終端されたイーサネットＯＡＭフレームに含まれる前記制御情報に応じて前記所定のＶＬＡＮを設定する宅内側ＶＬＡＮ管理部と、
前記宅内側ＯＡＭフレーム終端部によって終端されたイーサネットＯＡＭフレームに含まれる前記制御情報に応じて前記宅内側記憶部に記憶する前記インベントリ情報を出力するインベントリ情報管理部と、
前記宅内側ＯＡＭフレーム終端部によって終端され、前記データブロックを含んだ各イーサネットＯＡＭフレームから前記ダウンロードデータを再構成する宅内側ダウンロード制御部と、
前記インベントリ情報管理部から出力された前記インベントリ情報を含んだイーサネットＯＡＭフレームを生成する宅内側ＯＡＭフレーム生成部と、
を有し、
前記局内側ＶＬＡＮ管理部は、
前記宅内装置を制御する際に用いる制御用ＶＬＡＮを前記宅内装置との間に設定する制御情報を出力して前記所定のＶＬＡＮとして前記制御用ＶＬＡＮを設定した後、前記インベントリ情報を要求する制御情報を出力し、
前記局内側インタフェース部は、
前記局内側ＯＡＭフレーム生成部によって生成され、前記インベントリ情報を要求する制御情報を含んだイーサネットＯＡＭフレームを、前記制御用ＶＬＡＮを介して前記宅内装置に送信し、
前記インベントリ情報管理部は、
前記宅内側ＯＡＭフレーム終端部によって終端され、前記インベントリ情報を要求する制御情報を含んだイーサネットＯＡＭフレームから前記インベントリ情報の要求を受け付けると、前記宅内側記憶部に記憶する前記インベントリ情報を前記応答として前記宅内側ＯＡＭフレーム生成部に出力し、
前記宅内側インタフェース部は、
前記宅内側ＯＡＭフレーム生成部によって生成され、前記インベントリ情報を含んだイーサネットＯＡＭフレームを、前記制御用ＶＬＡＮを介して前記局内装置に送信し、
前記局内側ダウンロード制御部は、
前記局内側ＯＡＭフレーム終端部によって終端されたイーサネットＯＡＭフレームに含まれる前記インベントリ情報を前記応答として、当該応答に含まれる機種情報に応じた前記ダウンロードデータを前記データブロックに分割して前記局内側ＯＡＭフレーム生成部に出力し、
前記局内側インタフェース部は、
前記局内側ＯＡＭフレーム生成部によって生成され、前記データブロックを含んだイーサネットＯＡＭフレームを、前記制御用ＶＬＡＮを介して前記宅内装置に送信する、
ことを特徴とする通信システム。
【請求項２】
前記宅内側ダウンロード制御部は、前記ダウンロードデータの再構成が完了すると、完了応答を出力し、
前記宅内側ＯＡＭフレーム生成部は、前記宅内側ダウンロード制御部から出力された前記完了応答を含んだイーサネットＯＡＭフレームを生成し、
前記宅内側インタフェース部は、前記宅内側ＯＡＭフレーム生成部によって生成され、前記完了応答を含んだイーサネットＯＡＭフレームを、前記制御用ＶＬＡＮを介して前記局内装置に送信し、
前記局内側ＯＡＭフレーム終端部は、前記局内側ＯＡＭフレーム分離部によって分離されたイーサネットＯＡＭフレームから、前記完了応答を含んだイーサネットＯＡＭフレームを終端し、
前記局内側ダウンロード制御部は、前記局内側ＯＡＭフレーム終端部によって終端されたイーサネットＯＡＭフレームに含まれる前記宅内装置からの前記完了応答に応じて前記データブロックの出力を停止する、
ことを特徴とする請求項１に記載の通信システム。
【請求項３】
前記インベントリ情報は、前記ダウンロードデータの版数に関する情報をさらに含み、
前記局内装置は、
前記制御用ＶＬＡＮを介して前記宅内装置から受信したイーサネットＯＡＭフレームに含まれる前記インベントリ情報を宅内装置管理情報として記憶する局内側記憶部と、
前記宅内装置管理情報を更新する宅内装置特定部と、
を更に有し、
前記宅内装置特定部は、
前記局内側ＯＡＭフレーム終端部によって、前記応答を含んだイーサネットＯＡＭフレームが終端されると、終端された当該イーサネットＯＡＭフレームに含まれる前記インベントリ情報に応じて前記宅内装置管理情報のインベントリ情報を更新し、
前記局内側ＯＡＭフレーム終端部によって、前記ダウンロードデータの再構成の完了に関する応答を含んだイーサネットＯＡＭフレームが終端されると、終端された当該イーサネットＯＡＭフレームに含まれる前記ダウンロードデータの再構成の完了に関する情報に応じて前記宅内装置管理情報のインベントリ情報を更新する、
ことを特徴とする請求項１に記載の通信システム。
【請求項４】
前記局内側ダウンロード制御部は、
前記局内側インタフェース部が、前記データブロックを含んだイーサネットＯＡＭフレームを、前記制御用ＶＬＡＮを介して前記宅内装置に送信して前記ダウンロードデータのダウンロードを開始したのち、所定時間が経過したならば、前記データブロックの出力を停止して前記ダウンロードデータのダウンロードを停止する、
ことを特徴とする請求項１に記載の通信システム。
【請求項５】
前記局内側ダウンロード制御部は、
前記データブロックを送信するダウンロード対象の宅内装置から所定の異常応答を受信したならば、当該宅内装置をダウンロード対象から除外する、
ことを特徴とする請求項１に記載の通信システム。
【請求項６】
宅内装置と、前記宅内装置とイーサネットフレームを送受信する局内装置と、を備え、
前記局内装置は、
ダウンロードデータを所定サイズのデータブロックに分割して出力する局内側ダウンロード制御部と、
前記宅内装置を制御する制御情報を出力する局内側ＶＬＡＮ管理部と、
前記局内側ダウンロード制御部から出力された前記データブロックまたは前記局内側ＶＬＡＮ管理部から出力された前記制御情報の少なくとも一方を含み、前記イーサネットフレームの１つであるイーサネットＯＡＭフレームを生成する局内側ＯＡＭフレーム生成部と、
イーサネットフレームを、前記宅内装置との間に設定される所定のＶＬＡＮを介して前記宅内装置と送受信する局内側インタフェース部と、
前記局内側インタフェース部を介して受信したイーサネットフレームから前記所定のＶＬＡＮのイーサネットフレームを抽出する局内側ＶＬＡＮフィルタ部と、
前記局内側ＶＬＡＮフィルタ部によって抽出された前記所定のＶＬＡＮのイーサネットフレームから、イーサネットＯＡＭフレームを分離する局内側ＯＡＭフレーム分離部と、
前記局内側ＯＡＭフレーム分離部によって分離されたイーサネットＯＡＭフレームから、前記宅内装置に送信した前記制御情報を含んだイーサネットＯＡＭフレームに対する応答を含んだイーサネットＯＡＭフレームを終端する局内側ＯＡＭフレーム終端部と、
を有し、
前記宅内装置は、
前記宅内装置の機種を識別する機種情報を含むインベントリ情報を記憶する宅内側記憶部と、
イーサネットフレームを、前記所定のＶＬＡＮを介して前記局内装置と送受信する宅内側インタフェース部と、
前記宅内側インタフェース部を介して受信したイーサネットフレームから前記所定のＶＬＡＮのイーサネットフレームを抽出する宅内側ＶＬＡＮフィルタ部と、
前記宅内側ＶＬＡＮフィルタ部によって抽出された前記所定のＶＬＡＮのイーサネットフレームから、イーサネットＯＡＭフレームを分離する宅内側ＯＡＭフレーム分離部と、
前記宅内側ＯＡＭフレーム分離部によって分離されたイーサネットＯＡＭフレームから、前記データブロックまたは前記制御情報の少なくとも一方を含んだイーサネットＯＡＭフレームを終端する宅内側ＯＡＭフレーム終端部と、
前記宅内側ＯＡＭフレーム終端部によって終端されたイーサネットＯＡＭフレームに含まれる前記制御情報に応じて前記所定のＶＬＡＮを設定する宅内側ＶＬＡＮ管理部と、
前記宅内側ＯＡＭフレーム終端部によって終端されたイーサネットＯＡＭフレームに含まれる前記制御情報に応じて前記宅内側記憶部に記憶する前記インベントリ情報を出力するインベントリ情報管理部と、
前記宅内側ＯＡＭフレーム終端部によって終端され、前記データブロックを含んだ各イーサネットＯＡＭフレームから前記ダウンロードデータを再構成する宅内側ダウンロード制御部と、
前記インベントリ情報管理部から出力された前記インベントリ情報を含んだイーサネットＯＡＭフレームを生成する宅内側ＯＡＭフレーム生成部と、
を有し、
前記局内側ＶＬＡＮ管理部は、
前記宅内装置を制御する際に用いる制御用ＶＬＡＮを前記宅内装置との間に設定する制御情報を出力して前記所定のＶＬＡＮとして前記制御用ＶＬＡＮを設定した後、前記インベントリ情報を要求する制御情報を出力し、
前記局内側インタフェース部は、
前記局内側ＯＡＭフレーム生成部によって生成され、前記インベントリ情報を要求する制御情報を含んだイーサネットＯＡＭフレームを、前記制御用ＶＬＡＮを介して前記宅内装置に送信し、
前記インベントリ情報管理部は、
前記宅内側ＯＡＭフレーム終端部によって終端され、前記インベントリ情報を要求する制御情報を含んだイーサネットＯＡＭフレームから前記インベントリ情報の要求を受け付けると、前記宅内側記憶部に記憶する前記インベントリ情報を前記応答として前記宅内側ＯＡＭフレーム生成部に出力し、
前記宅内側インタフェース部は、
前記宅内側ＯＡＭフレーム生成部によって生成され、前記インベントリ情報を含んだイーサネットＯＡＭフレームを、前記制御用ＶＬＡＮを介して前記局内装置に送信し、
前記局内側ＶＬＡＮ管理部は、
前記局内側ＯＡＭフレーム終端部によって終端されたイーサネットＯＡＭフレームに含まれる前記インベントリ情報を前記応答として受け付けると、前記データブロックを前記宅内装置に送信する際に用い、前記制御用ＶＬＡＮとは異なるダウンロード用ＶＬＡＮを前記宅内装置との間に設定する制御情報を出力して前記所定のＶＬＡＮとして前記ダウンロード用ＶＬＡＮを設定し、
前記局内側ダウンロード制御部は、
前記局内側ＶＬＡＮ管理部によって、前記ダウンロード用ＶＬＡＮが設定されると、前記局内側ＯＡＭフレーム終端部によって終端されたイーサネットＯＡＭフレームに含まれる前記インベントリ情報を前記応答として、当該応答に含まれる機種情報に応じた前記ダウンロードデータを前記データブロックに分割して前記局内側ＯＡＭフレーム生成部に出力し、
前記局内側インタフェース部は、
前記局内側ＯＡＭフレーム生成部によって生成され、前記データブロックを含んだイーサネットＯＡＭフレームを、前記ダウンロード用ＶＬＡＮを介して前記宅内装置に送信する、
ことを特徴とする通信システム。
【請求項７】
前記局内側ダウンロード制御部は、前記局内側ＶＬＡＮ管理部によって前記ダウンロード用ＶＬＡＮが設定されると、前記ダウンロードデータの送信開始を通知するダウンロード開始指示を出力した後、前記インベントリ情報に含まれる機種情報に応じたダウンロードデータを前記データブロックに分割して出力し、
前記局内側インタフェース部は、前記局内側ＯＡＭフレーム生成部によって生成され、かつ前記ダウンロード用ＶＬＡＮを前記宅内装置との間に設定する制御情報を含んだイーサネットＯＡＭフレームを、前記制御用ＶＬＡＮを介して前記宅内装置に送信し、前記局内側ＯＡＭフレーム生成部によって生成され、前記ダウンロード開始指示を含んだイーサネットＯＡＭフレームを、前記制御用ＶＬＡＮを介して前記宅内装置に送信し、前記局内側ＯＡＭフレーム生成部によって生成され、前記データブロックを含んだイーサネットＯＡＭフレームを、前記ダウンロード用ＶＬＡＮを介して前記宅内装置に送信する、
ことを特徴とする請求項６に記載の通信システム。
【請求項８】
複数の宅内装置と、前記複数の宅内装置それぞれと制御フレームを送受信する局内装置と、を備え、
前記局内装置は、 
前記複数の宅内装置それぞれを制御する際に用いる制御用ＶＬＡＮ（Virtual LAN）を前記複数の宅内装置それぞれとの間に設定し、前記複数の宅内装置それぞれの機種毎のダウンロードデータを所定サイズのデータブロックに分割して送信する際に用いる前記機種毎に同一のダウンロード用ＶＬＡＮを前記複数の宅内装置それぞれとの間に前記機種毎に設定し、
前記複数の宅内装置それぞれが記憶する前記機種を識別する機種情報を要求する制御情報を含んだ第１の制御フレームを、前記複数の宅内装置毎に設定した前記制御用ＶＬＡＮを介して前記複数の宅内装置それぞれに送信し、
前記複数の宅内装置それぞれは、
設定された前記制御用ＶＬＡＮを介して受信した前記第１の制御フレームに対する応答として、前記宅内装置が記憶する前記機種情報を含んだ第２の制御フレームを、設定された前記制御用ＶＬＡＮを介して前記局内装置に送信し、
前記局内装置は、
前記複数の宅内装置それぞれから前記制御用ＶＬＡＮを介して受信した前記第２の制御フレームに含まれる前記機種情報から前記複数の宅内装置それぞれの前記機種を特定し、特定した前記機種毎のダウンロードデータを分割したデータブロックを含んだ複数の第３の制御フレームを、同一機種の宅内装置が複数の場合は、前記ダウンロード用ＶＬＡＮを介して複数の前記同一機種の宅内装置にマルチキャストにて送信または複数の前記同一機種の宅内装置それぞれにユニキャストにて順次送信し、同一機種の宅内装置が１台の場合は、前記ダウンロード用ＶＬＡＮを介して１台の当該宅内装置にユニキャストにて送信し、
前記複数の宅内装置それぞれは、
前記ダウンロード用ＶＬＡＮを介して受信した前記複数の第３の制御フレームから前記機種毎のダウンロードデータを再構成する、
ことを特徴とする通信システム。
【請求項９】
前記局内装置は、
前記ダウンロード用ＶＬＡＮに関する情報を含んだ第４の制御フレームを前記制御用ＶＬＡＮを介して前記複数の宅内装置それぞれに送信し、前記複数の宅内装置それぞれから前記制御用ＶＬＡＮを介して前記第４の制御フレームに対する応答として、前記ダウンロード用ＶＬＡＮの設定の完了を通知する第５の制御フレームを受信することで前記ダウンロード用ＶＬＡＮを設定し、
前記機種を特定すると、前記機種毎のダウンロードデータの送信開始を通知するダウンロード開始指示を含んだ第６の制御フレームを、前記制御用ＶＬＡＮを介して前記複数の宅内装置それぞれに送信し、前記複数の宅内装置それぞれから前記制御用ＶＬＡＮを介して前記第６の制御フレームに対する応答として、前記機種毎のダウンロードデータのダウンロード可能を通知するダウンロード可能応答を含んだ第７の制御フレームを受信すると、前記複数の第３の制御フレームを送信する、
ことを特徴とする請求項８に記載の通信システム。
【発明の詳細な説明】
【技術分野】
【０００１】
本発明は、イーサネット（登録商標）網によって相互に接続されている通信システムに関する。以下、イーサネットの表記に於いて、「（登録商標）」を省略する。
【背景技術】
【０００２】
近年、通信ネットワークのＩＰ（Internet Protocol）化が進むと共に、IEEE（Institute of Electrical and Electronics Engineers, Inc.）の802.3委員会が標準化したイーサネット技術が、ＬＡＮ（Local Area Network）領域を始め、ＭＡＮ（Metro Area Network）、ＷＡＮ（Wide Area Network）のような広域イーサネットワーク伝送網においても急速に普及してきている。
【０００３】
従来のイーサネットは、ＡＴＭ（Asynchronous Transfer Mode）などの伝送網に用いられてきたＯＡＭ（Operation Administration and Maintenance）遠隔監視機能が規定されていなかった。そのため、通信事業者は、イーサネット網上にある通信装置を遠隔監視する機能を独自に実装する必要があった。
この問題を解決するために、標準化団体ITU-T（International Telecommunication Union Telecommunication Standardization Sector）に於いて、ITU-T勧告Y.1730（非特許文献１）、Y.1731（非特許文献２）が規定され、更にIEEE に於いてIEEE802.1agが規定されたことにより、イーサネットにＯＡＭ機能が導入された。
【０００４】
標準化されたY.1730/Y.1731/IEEE802.1agでは、ＯＡＭ機能を以下のように規定している。
イーサネットＯＡＭフレームには、イーサタイプに０ｘ８９０２（１６進数）が付与され、一般的なデータフレームから区別される。以下、「０ｘ」を冒頭に付与した、数字とＡ〜Ｆの記号によって、１６進数を表現する。イーサネットＯＡＭフレームは、イーサネットＯＡＭ終端ノード間で定義されたＭＥ（Maintenance Entity）という区間で送受信される。
イーサネット網の各イーサネットＯＡＭ終端ノードは、通信相手を特定するため、ユニークなＭＥＧ  ＩＤ（Maintenance Entity Group IDentifier）とＭＥＰ  ＩＤ（MEG End Point IDentifier）とが付与される。
【０００５】
特許文献１（特開２０１０−２００１４９号公報）には、イーサネット網を介して、局装置から宅内装置を遠隔監視制御するシステムにおいて、ユーザデータチャネル数を減少させることなく遠隔監視制御チャネルを構築する発明が記載されている。
【０００６】
特許文献１に記載の発明では、宅内装置が受信したイーサネットフレームのイーサタイプが０ｘ８９０２であるかどうかをチェックし、イーサネットＯＡＭフレームを終端する。更に、特許文献１に記載の発明では、局内装置がイーサネットＯＡＭフレームを使用して、宅内装置の遠隔監視制御を実現している。
【先行技術文献】
【特許文献】
【０００７】
【特許文献１】特開２０１０−２００１４９号公報
【非特許文献】
【０００８】
【非特許文献１】”ITU-T Recommendation Y.1730 - SERIES Y: GLOBAL INFORMATION INFRASTRUCTURE, INTERNET PROTOCOL ASPECTS AND NEXT GENERATION NETWORKS”, 01/2004,INTERNATIONAL TELECOMMUNICATION UNION,［平成２４年５月１７日検索］、インターネット<URL: http://www.itu.int/rec/T-REC-Y.1730-200401-I>
【非特許文献２】”Recommendation ITU-T G.8013/Y.1731 - SERIES Y: GLOBAL INFORMATION  INFRASTRUCTURE, INTERNET PROTOCOL ASPECTS AND NEXT-GENERATION NETWORKS”,07/2001,INTERNATIONAL TELECOMMUNICATION UNION,［平成２４年５月１７日検索］、インターネット<URL: http://www.itu.int/rec/T-REC-Y.1731-201107-I>
【発明の概要】
【発明が解決しようとする課題】
【０００９】
イーサネット網とイーサネットＯＡＭによって、局内装置から複数の宅内装置を遠隔監視制御するシステムでは、宅内装置の不具合対策、機能追加、機能変更などによってファームウェアなどのファイルを更新する必要性が生じ、宅内装置に局内装置から遠隔でダウンロードすることが必要となる場合がある。
ここで問題となるのは、レイヤ２プロトコルでファイルをダウンロードする方法が標準化されていないことである。
【００１０】
インターネットのダウンロード方法は、ＨＴＴＰ（Hypertext Transfer Protocol）やＦＴＰ（File Transfer Protocol）のようなレイヤ３プロトコルが一般的である。しかし、ＨＴＴＰ／ＦＴＰなどのレイヤ３プロトコルは、レイヤ３のＩＰアドレスを具備する装置間で用いることができるが、レイヤ３のＩＰアドレスを具備しない宅内装置には適用できないという問題がある。
ＦＴＰ／ＨＴＴＰなどレイヤ３プロトコルを使用してダウンロードを実行するには、宅内装置にレイヤ３のＩＰアドレスを付与して、ＨＴＴＰクライアント／ＦＴＰクライアントのような通信機能とを搭載し、サブネットマスクとデフォルトゲートウェイなどを設定し、かつ、局内装置と宅内装置との間に、レイヤ３の通信経路を確立しなければならない。
【００１１】
レイヤ２プロトコルによって宅内装置がファイルをダウンロードするためには、ベンダが固有にイーサタイプを定義し、定義したイーサタイプを含んだイーサネットフレームで通信することが考えられる。しかし、ベンダが固有に定義したイーサタイプは標準化されたものではないので、局内装置と宅内装置の間にあるイーサネット網に於いて、異常フレームとして廃棄される恐れがある。
【００１２】
更に、レイヤ２プロトコルによって局内装置が宅内装置にファイルをダウンロードする際には、どの宅内装置に、どのファイルをダウンロードするかを特定する必要がある。局内装置は、１台の宅内装置だけではなく複数台を管理することが考えられ、１機種の宅内装置だけではなく複数機種を管理することが考えられるためである。
【００１３】
そこで、本発明は、局内装置から、イーサネット網上にある複数の宅内装置それぞれに、対応したデータをダウンロード可能な通信システムを提供することを課題とする。
【課題を解決するための手段】
【００１４】
前記した課題を解決するため、本発明は、以下のように構成した。
すなわち、本発明の請求項１に記載の通信システムの発明は、宅内装置と、前記宅内装置とイーサネットフレームを送受信する局内装置と、を備える。
前記局内装置は、ダウンロードデータを所定サイズのデータブロックに分割して出力する局内側ダウンロード制御部と、前記宅内装置を制御する制御情報 を出力する局内側ＶＬＡＮ管理部と、前記局内側ダウンロード制御部から出力された前記データブロックまたは前記局内側ＶＬＡＮ管理部から出力された前記制御情報の少なくとも一方を含み、前記イーサネットフレームの１つであるイーサネットＯＡＭフレームを生成する局内側ＯＡＭフレーム生成部と、イーサネットフレームを、前記宅内装置との間に設定される所定のＶＬＡＮ（Virtual LAN）を介して前記宅内装置と送受信する局内側インタフェース部と、前記局内側インタフェース部を介して受信したイーサネットフレームから前記所定のＶＬＡＮのイーサネットフレームを抽出する局内側ＶＬＡＮフィルタ部と、前記局内側ＶＬＡＮフィルタ部によって抽出された前記所定のＶＬＡＮのイーサネットフレームから、イーサネットＯＡＭフレームを分離する局内側ＯＡＭフレーム分離部と、前記局内側ＯＡＭフレーム分離部によって分離されたイーサネットＯＡＭフレームから、前記宅内装置に送信した前記制御情報を含んだイーサネットＯＡＭフレームに対する応答を含んだイーサネットＯＡＭフレームを終端する局内側ＯＡＭフレーム終端部とを有する。
前記宅内装置は、前記宅内装置の機種を識別する機種情報を含むインベントリ情報を記憶する宅内側記憶部と、イーサネットフレームを、前記所定のＶＬＡＮを介して前記局内装置と送受信する宅内側インタフェース部と、前記宅内側インタフェース部を介して受信したイーサネットフレームから前記所定のＶＬＡＮのイーサネットフレームを抽出する宅内側ＶＬＡＮフィルタ部と、前記宅内側ＶＬＡＮフィルタ部によって抽出された前記所定のＶＬＡＮのイーサネットフレームから、イーサネットＯＡＭフレームを分離する宅内側ＯＡＭフレーム分離部と、前記宅内側ＯＡＭフレーム分離部によって分離されたイーサネットＯＡＭフレームから、前記データブロックまたは前記制御情報の少なくとも一方を含んだイーサネットＯＡＭフレームを終端する宅内側ＯＡＭフレーム終端部と、前記宅内側ＯＡＭフレーム終端部によって終端されたイーサネットＯＡＭフレームに含まれる前記制御情報に応じて前記所定のＶＬＡＮを設定する宅内側ＶＬＡＮ管理部と、前記宅内側ＯＡＭフレーム終端部によって終端されたイーサネットＯＡＭフレームに含まれる前記制御情報に応じて前記宅内側記憶部に記憶する前記インベントリ情報を出力するインベントリ情報管理部と、前記宅内側ＯＡＭフレーム終端部によって終端され、前記データブロックを含んだ各イーサネットＯＡＭフレームから前記ダウンロードデータを再構成する宅内側ダウンロード制御部と、前記インベントリ情報管理部から出力された前記インベントリ情報を含んだイーサネットＯＡＭフレームを生成する宅内側ＯＡＭフレーム生成部とを有する。
前記局内側ＶＬＡＮ管理部は、前記宅内装置を制御する際に用いる制御用ＶＬＡＮを前記宅内装置との間に設定する制御情報を出力して前記所定のＶＬＡＮとして前記制御用ＶＬＡＮを設定した後、前記インベントリ情報を要求する制御情報を出力し、前記局内側インタフェース部は、前記局内側ＯＡＭフレーム生成部によって生成され、前記インベントリ情報を要求する制御情報を含んだイーサネットＯＡＭフレームを、前記制御用ＶＬＡＮを介して前記宅内装置に送信し、前記インベントリ情報管理部は、前記宅内側ＯＡＭフレーム終端部によって終端され、前記インベントリ情報を要求する制御情報を含んだイーサネットＯＡＭフレームから前記インベントリ情報の要求を受け付けると、前記宅内側記憶部に記憶する前記インベントリ情報を前記応答として前記宅内側ＯＡＭフレーム生成部に出力し、前記宅内側インタフェース部は、前記宅内側ＯＡＭフレーム生成部によって生成され、前記インベントリ情報を含んだイーサネットＯＡＭフレームを、前記制御用ＶＬＡＮを介して前記局内装置に送信し、前記局内側ダウンロード制御部は、前記局内側ＯＡＭフレーム終端部によって終端されたイーサネットＯＡＭフレームに含まれる前記インベントリ情報を前記応答として、当該応答に含まれる機種情報に応じた前記ダウンロードデータを前記データブロックに分割して前記局内側ＯＡＭフレーム生成部に出力し、前記局内側インタフェース部は、前記局内側ＯＡＭフレーム生成部によって生成され、前記データブロックを含んだイーサネットＯＡＭフレームを、前記制御用ＶＬＡＮを介して前記宅内装置に送信する、
その他の手段については、発明を実施するための形態のなかで説明する。
【発明の効果】
【００１５】
本発明によれば、局内装置から、イーサネット網上にある複数の宅内装置それぞれに、対応したデータをダウンロード可能な通信システムを提供することが可能となる。
【図面の簡単な説明】
【００１６】
【図１】第１の実施形態に於ける通信システムを示す概略の構成図である。
【図２】イーサネットフレームの構成を示す図である。
【図３】イーサネットＯＡＭフレームの構成を示す図である。
【図４】ダウンロード用のベンダ固有ＯＡＭフレームの構成を示す図である。
【図５】第１の実施形態に於ける宅内装置を示す概略の構成図である。
【図６】第１の実施形態に於ける局内装置を示す概略の構成図である。
【図７】第１の実施形態に於ける通信システムのＶＬＡＮを示す概略の構成図である。
【図８】第１の実施形態に於ける遠隔制御用ＶＬＡＮの設定処理を示すシーケンス図である。
【図９】第１の実施形態に於ける宅内装置の特定とソフトウェアダウンロード処理を示すシーケンス図である。
【図１０】第１の実施形態に於ける宅内装置へのソフトウェアダウンロード処理を示すフローチャートである。
【図１１】第２の実施形態に於ける通信システムのダウンロード用ＶＬＡＮを示す概略の構成図である。
【図１２】第２の実施形態に於けるユニキャストのダウンロード処理を示すシーケンス図である。
【図１３】第３の実施形態に於ける通信システムの共用ＶＬＡＮを示す概略の構成図である。
【図１４】第４の実施形態に於ける通信システムのダウンロード用ＶＬＡＮを示す概略の構成図である。
【図１５】第４の実施形態に於けるマルチキャストのダウンロード処理（その１）を示すシーケンス図である。
【図１６】第４の実施形態に於けるマルチキャストのダウンロード処理（その２）を示すシーケンス図である。
【図１７】第５の実施形態に於ける通信システムのダウンロード用ＶＬＡＮを示す概略の構成図である。
【図１８】第６の実施形態に於ける通信システムのダウンロード用ＶＬＡＮを示す概略の構成図である。
【図１９】第７の実施形態に於ける通信システムのダウンロード用ＶＬＡＮを示す概略の構成図である。
【発明を実施するための形態】
【００１７】
以降、本発明を実施するための形態を、各図を参照して詳細に説明する。
【００１８】
（第１の実施形態の構成）
【００１９】
図１は、第１の実施形態に於ける通信システムを示す概略の構成図である。
通信システム１０は、局内装置５０と、宅内装置２０−１〜２０−５とを備えている。局内装置５０と宅内装置２０−１〜２０−５とは、イーサネット網２００によって接続されており、イーサネットフレームを相互に送受信可能である。
宅内装置２０−１〜２０−５は、例えばメディアコンバータやハブであり、複数の加入者宅内に設置されて図示しないユーザ側ネットワークに接続され、前記したイーサネット網２００に接続されているものである。加入者には、一般ユーザ（コンシュマーユーザ）に加えて、事業者や会社などが含まれている。以下の全ての実施形態に共通して、宅内装置２０−１〜２０−３は機種Ａであり、宅内装置２０−４，２０−５は機種Ｂである。図面では、宅内装置２０−１〜２０−３を「宅内装置Ａ１〜Ａ３」と示し、宅内装置２０−４，２０−５を「宅内装置Ｂ１，Ｂ２」と示している。以下、宅内装置２０−１〜２０−５を個々に区別しないときには、単に宅内装置２０と記載している場合がある。
局内装置５０は、例えばイーサネットスイッチであり、通信事業者などの局舎に設置されて、イーサネット網２００を介して複数の宅内装置２０−１〜２０−５を収容しているものである。局内装置５０は、宅内装置２０−１〜２０−５とイーサネットフレームを送受信可能である。更に局内装置５０は、管理網２０２によって監視制御装置７０に接続されていると共に、上位網２０１に接続されている。
【００２０】
局内装置５０および宅内装置２０−１〜２０−５は、ITU-T Y.1731に準拠したイーサネットＯＡＭフレーム（以下、単に「イーサネットＯＡＭフレーム」と記載する。）を終端する機能を有している。局内装置５０は、イーサネットＯＡＭフレームによって、宅内装置２０−１〜２０−５を遠隔制御する。
イーサネット網２００は、イーサネットフレームを伝送するものであり、図示しないネットワークケーブルや中継装置などを備えている。
上位網２０１は、当該通信システム１０の上位に位置するものである。図示しないユーザ側ネットワークに接続された各機器は、宅内装置２０、イーサネット網２００、および局内装置５０を介して、上位網２０１に接続された装置と通信可能である。
監視制御装置７０は、管理網２０２を介して局内装置５０を管理し、局内装置５０によって宅内装置２０−１〜２０−５を管理するものである。
管理網２０２は、局内の管理用のネットワークであり、監視制御装置７０から局内装置５０を制御するためのものである。
【００２１】
（宅内装置２０と局内装置５０の構成）
宅内装置２０は、ＵＮＩ（User-Network Interface）部２１と、ＡＮＩ（Access Network Interface）部２８と、信号処理部２２と、イーサネットＯＡＭ処理部３０と、遠隔監視制御部３３と、ソフトウェア格納部３７と、インベントリ情報３８と、ＶＬＡＮ管理テーブル３９とを備えている。
【００２２】
局内装置５０は、ＡＮＩ部５１と、ＮＮＩ（Network-Network Interface）部５８と、管理網ＩＦ（Interface）部５９と、信号処理部５２と、イーサネットＯＡＭ処理部６０と、遠隔監視制御部６３と、ソフトウェア格納部６７と、宅内装置管理テーブル６８と、ＶＬＡＮ管理テーブル６９とを備えている。
【００２３】
宅内装置２０のＵＮＩ部２１は、例えばイーサネットワークやＡＴＭやＴ１などの図示しないユーザ側ネットワークに接続され、図示しないユーザ側機器との間でフレームやパケットなどを送受信して、ユーザに対してサービスを提供するインタフェースである。
宅内装置２０のＡＮＩ部２８と、局内装置５０のＡＮＩ部５１とは、イーサネット網２００を介して、イーサネットフレームを送受信するインタフェースである。
本実施形態に於いて、局内装置５０のＡＮＩ部５１（局内側インタフェース部）は、所定サイズのデータブロックを含んだイーサネットＯＡＭフレームを、所定のＶＬＡＮを介して宅内装置２０に送信する。
局内装置５０のＮＮＩ部５８は、上位網２０１に接続され、この上位網２０１を介して他のネットワークに接続された機器と、フレームやパケットなどを送受信するインタフェースである。局内装置５０の管理網ＩＦ部５９は、上位網２０１を介して、フレームやパケットなどを送受信するインタフェースである。
宅内装置２０の信号処理部２２と局内装置５０の信号処理部５２とは、送受信信号の処理を行い、受信したフレームからイーサネットＯＡＭフレームを分離すると共に、生成したイーサネットＯＡＭフレームを挿入して送信するものである。
【００２４】
宅内装置２０のイーサネットＯＡＭ処理部３０と局内装置５０のイーサネットＯＡＭ処理部６０とは、イーサネットＯＡＭフレームを終端すると共に、イーサネットＯＡＭフレームを生成する。
局内装置５０の遠隔監視制御部６３は、イーサネットＯＡＭフレームを送受信することによって、収容している宅内装置２０を遠隔から監視制御する。
宅内装置２０の遠隔監視制御部３３は、受信したイーサネットＯＡＭフレームによって、局内装置５０による遠隔制御を実施し、遠隔制御の結果をイーサネットＯＡＭフレームによって応答する。
宅内装置２０のソフトウェア格納部３７は、例えば、当該宅内装置２０を制御するソフトウェアやファームウェアを格納するものであり、局内装置５０からダウンロードしたソフトウェアを格納するものである。局内装置５０のソフトウェア格納部６７は、宅内装置２０にダウンロードするソフトウェアを格納するものである。
宅内装置２０のインベントリ情報３８は、当該宅内装置２０の機種、シリアル番号、ＭＥＧ  ＩＤ、ソフトウェア版数などの情報を格納するものである。局内装置５０の宅内装置管理テーブル６８は、当該局内装置５０が収容している各宅内装置２０のインベントリ情報３８の複製を格納するものである。
宅内装置２０のＶＬＡＮ管理テーブル３９と局内装置５０のＶＬＡＮ管理テーブル３９とは、局内装置５０と宅内装置２０−１〜２０−５の間のＶＬＡＮを管理するテーブルであり、宅内装置２０が終端すべきＶＬＡＮタグの情報とそれの用途を保存するものである。
【００２５】
《監視制御装置７０の構成》
監視制御装置７０は、管理網ＩＦ部７１と、信号処理部７２と、制御部７３と、ソフトウェア格納部７４とを備えている。
管理網ＩＦ部７１は、管理網２０２を介して、フレームやパケットなどを送受信するインタフェースである。
信号処理部７２は、管理網ＩＦ部７１が受信したフレームをバッファリングして制御部７３に出力すると共に、制御部７３から入力されたフレームをバッファリングして管理網ＩＦ部７１によって送信するものである。
制御部７３は、局内装置５０と、この局内装置５０が収容している宅内装置２０を監視するものである。
ソフトウェア格納部７４は、例えばハードディスクドライブなどであり、監視している宅内装置２０に送信するソフトウェアを格納するものである。
【００２６】
《インベントリ情報３８の送受信》
局内装置５０の遠隔監視制御部６３は、宅内装置２０−１を特定するために、イーサネットＯＡＭ処理部６０によって、宅内装置２０−１のインベントリ情報３８を要求するベンダ固有ＯＡＭフレームを生成し、当該ベンダ固有ＯＡＭフレームを信号処理部５２に挿入する。
信号処理部５２に挿入されたベンダ固有ＯＡＭフレームは、ＡＮＩ部５１とイーサネット網２００を介して宅内装置２０−１のＡＮＩ部２８が受信し、信号処理部２２で分離される。分離された当該ベンダ固有ＯＡＭフレームは、イーサネットＯＡＭ処理部３０によってインベントリ情報３８の要求メッセージが抽出される。抽出されたインベントリ情報３８の要求メッセージは、遠隔監視制御部３３に出力される。
遠隔監視制御部３３は、インベントリ情報３８を要求するベンダ固有ＯＡＭフレームを受信すると、イーサネットＯＡＭ処理部３０によってインベントリ情報３８を含むベンダ固有ＯＡＭフレームを生成し、当該ベンダ固有ＯＡＭフレームを信号処理部２２により主信号に挿入する。当該ベンダ固有ＯＡＭフレームは、ＡＮＩ部２８とイーサネット網２００を介して、局内装置５０のＡＮＩ部５１によって受信される。
当該インベントリ情報３８を含むベンダ固有ＯＡＭフレームは、信号処理部５２によって分離されてイーサネットＯＡＭ処理部３０に出力される。当該ベンダ固有ＯＡＭフレームは、イーサネットＯＡＭ処理部３０によって終端されて、当該インベントリ情報３８が抽出される。抽出された当該インベントリ情報３８は、遠隔監視制御部６３に出力される。
【００２７】
遠隔監視制御部６３は、宅内装置管理テーブル６８によって、各宅内装置２０−１〜２０−５のインベントリ情報３８を管理する。局内装置５０は、宅内装置２０−２〜２０−５との間で、前記した宅内装置２０−１と同様にして、インベントリ情報３８を受信することにより、これら宅内装置２０−２〜２０−５を遠隔制御する。
【００２８】
監視制御装置７０は、ソフトウェア格納部７４に格納されたソフトウェア（ダウンロードデータ）を、管理網２０２を介して局内装置５０に転送する。当該ソフトウェアは、局内装置５０のソフトウェア格納部６７に格納される。
ソフトウェア格納部６７に格納された当該ソフトウェアは、局内装置５０の遠隔監視制御部６３によって、所定サイズのデータブロックに分割される。分割された各データブロックは、イーサネットＯＡＭ処理部６０でベンダ固有の制御情報を備えたイーサネットＯＡＭフレーム（以下、「ベンダ固有ＯＡＭフレーム」と記載している場合がある。）に格納される。当該ベンダ固有ＯＡＭフレームは、信号処理部５２によって主信号であるフレームに挿入されて、ＡＮＩ部５１によって送信され、イーサネット網２００を介して、宅内装置２０のＡＮＩ部２８に受信される。
ＡＮＩ部２８が受信した当該ベンダ固有ＯＡＭフレームは、信号処理部２２とイーサネットＯＡＭ処理部３０とを介して、遠隔監視制御部３３に出力される。
【００２９】
遠隔監視制御部３３は、受信したダウンロード用のベンダ固有ＯＡＭフレームから、各データブロックを抽出する。遠隔監視制御部３３は更に、必要に応じて当該データブロックからソフトウェアを再構成し、ＣＲＣ（Cyclic Redundancy Check）チェックなどの誤り検出処理によってファイルの完全性を検証したのち、当該ソフトウェアをソフトウェア格納部３７に格納する。
【００３０】
図２（ａ），（ｂ）は、イーサネットフレームの構成を示す図である。
図２（ａ）は、イーサネットフレームの全体構成を示す図である。
イーサネットフレーム８０は、宛先ＭＡＣ（Media Access Control）アドレス８１と、送信元ＭＡＣアドレス８２と、ＶＬＡＮタグ８３と、イーサネットタイプ８４と、ペイロード８５と、ＦＣＳ（Frame Check Sequence）８６とを含んで構成される。
宛先ＭＡＣアドレス８１は、当該イーサネットフレーム８０の宛先機器のインタフェースの物理アドレス（ＭＡＣアドレス）を示すものである。
送信元ＭＡＣアドレス８２は、当該イーサネットフレーム８０の送信元機器の物理アドレスを示すものである。
ＶＬＡＮタグ８３は、当該イーサネットフレーム８０が属するＶＬＡＮを示すものである。
イーサネットタイプ８４は、ペイロード８５が収容しているプロトコルタイプを示すものである。例えば、イーサネットタイプ８４が０ｘ０８００の場合、ペイロード８５は、ＩＰｖ４（Internet Protocol version 4）パケットであることを示している。イーサネットタイプ８４が０ｘ８９０２の場合、当該イーサネットフレーム８０がイーサネットＯＡＭフレーム８０Ａであることを示している。
ペイロード８５は、当該イーサネットフレーム８０が送信するデータのことをいう。
ＦＣＳ８６は、フレームのエラーを検出するためのフィールドであり、送信元装置によって、当該ＦＣＳ８６を除くフィールド全てのＣＲＣ値が設定される。宛先装置は、同様なＣＲＣ値を計算して、ＦＣＳ８６と比較することにより、イーサネットフレーム８０のエラーを検出する。
【００３１】
図２（ｂ）は、ＶＬＡＮタグ８３の構成を示す図である。
ＶＬＡＮタグ８３は、IEEE802.1Qによって標準化されたＶＬＡＮタグであることを示すＴＰＩＤ（Tag Protocol Identifier）８３ａと、フレームの優先順位を示すＵｓｅｒ＿Ｐｒｉｏｒｉｔｙ８３ｂと、ＣＦＩ８３ｃと、所属しているＶＬＡＮの番号を示すＶＬＡＮ＿ＩＤ８３ｄとを含んで構成される。
ＶＬＡＮ＿ＩＤ８３ｄは、イーサネット網２００に当該イーサネットフレーム８０を転送する経路を決定するものである。
IEEE802.1Qでは、ＴＰＩＤ８３ａが０ｘ８１００のときに、タグ付きフレームであると規定している。
【００３２】
図３（ａ）〜（ｃ）は、イーサネットＯＡＭフレームの構成を示す図である。
図３（ａ）は、イーサネットＯＡＭフレーム８０Ａの全体構成を示す図である。
イーサネットＯＡＭフレーム８０Ａは、ITU-T Y.1731とIEEE802.1agにより標準化されている。イーサネットＯＡＭフレーム８０Ａは、図２に示すイーサネットフレーム８０と同様に、宛先ＭＡＣアドレス８１と、送信元ＭＡＣアドレス８２と、ＶＬＡＮタグ８３と、イーサネットタイプ８４と、ペイロード８５と、ＦＣＳ８６とを含んで構成される。
イーサネットタイプ８４が０ｘ８９０２の場合には、ペイロード８５がイーサネットＯＡＭフレーム８０Ａに関する情報を収容している。
【００３３】
図３（ｂ）は、ペイロード８５の構成を示す図である。
ペイロード８５は、ＭＥＧ＿Ｌｅｖｅｌ９１と、Ｖｅｒｓｉｏｎ９２と、ＯｐＣｏｄｅ９３と、Ｆｌａｇｓ９４と、ＴＬＶ（Type Level and Value）＿Ｏｆｆｓｅｔ９５と、ＯＡＭデータ９６と、ＥＮＤ＿ＴＬＶ９７とを含んで構成される。
ＭＥＧ＿Ｌｅｖｅｌ９１は、イーサネットＯＡＭフレーム８０Ａに於いて管理されているＭＥのレベルを示すフィールドである。
Ｖｅｒｓｉｏｎ９２は、ＯＡＭプロトコルのバージョンを識別する値を格納するフィールドである。
【００３４】
ＯｐＣｏｄｅ９３は、ＯＡＭデータ９６の種類を識別するオペコードを格納するフィールドである。ＯｐＣｏｄｅ９３が０ｘ３３または０ｘ３２ならば、ＯＡＭデータ９６は、ベンダが独自に設定可能なベンダ固有ＯＡＭデータ９６Ａ（不図示）である。このベンダ固有ＯＡＭデータ９６Ａを含んだイーサネットＯＡＭフレーム８０Ａを、ベンダ固有ＯＡＭフレーム８０Ｂと記載している場合がある。
ＯｐＣｏｄｅ９３が０ｘ３３ならば、ＶＳＭ（Vendor Specific Message）と呼ばれるベンダ固有メッセージである。ＯｐＣｏｄｅ９３が０ｘ３２ならば、ＶＳＲ（Vendor Specific Reply）と呼ばれるベンダ固有応答である。
ＯｐＣｏｄｅ９３が０ｘ０１ならば、ＯＡＭデータ９６はＣＣＭ（Continuity Check Message）と呼ばれる状態監視メッセージである。ＣＣＭは、ITU-T Y.1731とIEEE802.1agによって標準化されたものである。局内装置５０は、所定の時刻に、ＣＣＭを含むイーサネットＯＡＭフレーム８０Ａを、収容している各宅内装置２０に送信して、各宅内装置２０からＣＣＭを含むイーサネットＯＡＭフレーム８０Ａを受信することにより、各宅内装置２０を遠隔監視制御する。
【００３５】
Ｆｌａｇｓ９４は、ＯＡＭデータ９６の型に依存するフラグ情報を格納するフィールドである。
ＴＬＶ＿Ｏｆｆｓｅｔ９５は、ＯＡＭデータ９６の相対的なオフセットを格納するフィールドである。
ＯＡＭデータ９６は、当該イーサネットＯＡＭフレーム８０Ａのペイロードに於いて、前記したＯｐＣｏｄｅ９３が対象とするデータを格納するフィールドである。
ＥＮＤ＿ＴＬＶ９７は、ＯＡＭデータ９６の終端を示すフィールドである。
【００３６】
図３（ｃ）は、ＯＡＭデータ９６の構成を示す図である。
ＯＡＭデータ９６は、ベンダ固有ＯＡＭフレームを定義した組織（ベンダ）を識別するＯＵＩ（Organizationally Unique Identifier）９６ａと、ＳｕｂＯｐＣｏｄｅ９６ｂと、タイプ９６ｃと、長さ９６ｄと、メッセージＰＤＵ９６ｅとを含んで構成される。
ＳｕｂＯｐＣｏｄｅ９６ｂは、メッセージＰＤＵ９６ｅの種類を決定するものである。ＳｕｂＯｐＣｏｄｅ９６ｂが０ｘ２１のとき、メッセージＰＤＵ９６ｅは遠隔制御用である。ＳｕｂＯｐＣｏｄｅ９６ｂが０ｘ２Ｆのとき、メッセージＰＤＵ９６ｅはダウンロード用である。
タイプ９６ｃは、メッセージＰＤＵ９６ｅのタイプ情報を格納するフィールドである。
長さ９６ｄは、メッセージＰＤＵ９６ｅの長さ情報を格納するフィールドである。
メッセージＰＤＵ９６ｅは、ＳｕｂＯｐＣｏｄｅ９６ｂの処理データを格納するフィールドである。
【００３７】
図４（ａ）〜（ｃ）は、ダウンロード用のベンダ固有ＯＡＭフレームの構成を示す図である。ダウンロード用のベンダ固有ＯＡＭフレーム８０Ｂは、図３に示すベンダ固有ＯＡＭフレーム８０Ｂと同様に構成されている。
【００３８】
図４（ａ）は、ダウンロード用のベンダ固有ＯＡＭフレーム８０ＢのＯＡＭデータ９６の構成を示す図である。
ダウンロード用のＯＡＭデータ９６は、図３（ｃ）に示すＯＡＭデータ９６と同様に構成されている。
ＳｕｂＯｐＣｏｄｅ９６ｂは、ダウンロード用であることを示す０ｘ２Ｆである。
メッセージＰＤＵ９６ｅは、ダウンロード用の情報が格納される。
【００３９】
図４（ｂ）は、ダウンロード用のメッセージＰＤＵ９６ｅの構成を示す図である。
メッセージＰＤＵ９６ｅは、ダウンロードシーケンス番号１０１と、最大ダウンロードシーケンス番号１０２と、ソフトウェアのデータブロック１０３とを含んで構成される。
ダウンロードシーケンス番号１０１は、ソフトウェアのデータブロック１０３をダウンロードする際のシーケンス番号である。ここでシーケンス番号とは、ソフトウェア全体に於ける当該データブロック１０３の順番である。
最大ダウンロードシーケンス番号１０２は、ソフトウェアのデータブロック１０３をダウンロードする際の、最大のシーケンス番号である。
ソフトウェアのデータブロック１０３は、ダウンロード対象のソフトウェアを所定の固定長に分割したものである。
【００４０】
図４（ｃ）は、ダウンロード対象のソフトウェアのデータブロックの構成を示す図である。
ダウンロード対象のソフトウェアは、後記するダウンロード制御部６６によって、ｎ個（ｎは０以上の整数）のデータブロック１０３−１〜１０３−ｎに分割されて、更に１個のＣＲＣ１０４が生成される。
ＣＲＣ１０４は、ダウンロードして再構成したソフトウェアが正しいか否かを検査するものである。
本実施形態に於いて、メッセージＰＤＵ９６ｅは、分割されたソフトウェアのデータブロック１０３のうち１個を格納する。このとき最大ダウンロードシーケンス番号１０２は、（ｎ＋１）である。ダウンロードシーケンス番号１０１は、メッセージＰＤＵ９６ｅに格納されているソフトウェアのデータブロック１０３のシーケンス番号を示す。
【００４１】
図５は、第１の実施形態に於ける宅内装置を示す概略の構成図である。
前記した図１で説明したように、宅内装置２０は、ＵＮＩ部２１と、ＡＮＩ部２８と、信号処理部２２と、イーサネットＯＡＭ処理部３０と、遠隔監視制御部３３と、ソフトウェア格納部３７と、インベントリ情報３８と、ＶＬＡＮ管理テーブル３９とを備えている。
ＵＮＩ部２１は、信号処理部２２と相互にフレームを送受信可能に接続されていると共に、例えばＡＴＭやＴ１などの図示しないユーザ側ネットワークに接続されている。
ＡＮＩ部２８は、信号処理部２２と相互にフレームを送受信可能に接続されていると共に、イーサネット網２００（図１）に接続されている。
【００４２】
信号処理部２２は、ＶＬＡＮフィルタ部２５と、イーサネットＯＡＭ分離部２６と、フレーム送信バッファ２７と、イーサネットＯＡＭ挿入部２３と、フレーム送信バッファ２４とを備えている。
イーサネットＯＡＭ挿入部２３は、ＵＮＩ部２１から入力されたイーサネットフレーム８０（主信号）に、イーサネットＯＡＭ処理部３０から入力されたイーサネットＯＡＭフレーム８０Ａを挿入して、フレーム送信バッファ２４に出力するものである。
フレーム送信バッファ２４は、イーサネットＯＡＭ挿入部２３から入力されたイーサネットフレーム８０をＡＮＩ部２８に出力する際に、一時的に蓄積するものである。
【００４３】
ＶＬＡＮフィルタ部２５（宅内側ＶＬＡＮフィルタ部）は、ＡＮＩ部２８から入力されたイーサネットフレーム８０のうち、当該宅内装置２０が終端するＶＬＡＮタグを備えたイーサネットフレーム８０を抽出し、イーサネットＯＡＭ分離部２６に出力するものである。
イーサネットＯＡＭ分離部２６（宅内側ＯＡＭフレーム分離部）は、ＶＬＡＮフィルタ部２５から入力されたイーサネットフレーム８０のうち、イーサネットＯＡＭフレーム８０Ａを分離してイーサネットＯＡＭ処理部３０に出力し、分離した以外のイーサネットフレーム８０をフレーム送信バッファ２７に出力するものである。
フレーム送信バッファ２７は、イーサネットＯＡＭ分離部２６から入力されたイーサネットフレーム８０をＵＮＩ部２１に出力する際に、一時的に蓄積するものである。
【００４４】
イーサネットＯＡＭ処理部３０は、ベンダ固有ＯＡＭフレーム生成部３１と、ベンダ固有ＯＡＭフレーム終端部３２とを備えている。
ベンダ固有ＯＡＭフレーム生成部３１（宅内側ＯＡＭフレーム生成部）は、遠隔監視制御部３３から入力された遠隔監視制御の結果をベンダ固有ＯＡＭフレーム８０Ｂに格納して生成し、イーサネットＯＡＭ挿入部２３に出力するものである。
ベンダ固有ＯＡＭフレーム終端部３２（宅内側ＯＡＭフレーム終端部）は、イーサネットＯＡＭ分離部２６から入力されたイーサネットＯＡＭフレーム８０Ａのうち、予め規定されたベンダ固有ＯＡＭフレーム８０Ｂを識別して終端し、当該ベンダ固有ＯＡＭフレーム８０Ｂを遠隔監視制御部３３に出力するものである。ここで、予め規定されたベンダ固有ＯＡＭフレーム８０Ｂとは、ダウンロードに係るものであり、ソフトウェアのデータブロック１０３を含んでいる。
【００４５】
遠隔監視制御部３３は、インベントリ情報管理部３４と、ＶＬＡＮ管理部３５と、ダウンロード制御部３６とを備えている。
インベントリ情報管理部３４は、局内装置５０からインベントリ情報３８が要求された際に、このインベントリ情報３８を局内装置５０に応答するものである。
ＶＬＡＮ管理部３５は、ＶＬＡＮ管理テーブル３９に基づいて、宅内装置２０−１が終端すべき遠隔制御用のＶＬＡＮタグおよびダウンロード用のＶＬＡＮタグを識別するようにＶＬＡＮフィルタ部２５に設定するものである。
ダウンロード制御部３６（宅内側ダウンロード制御部）は、ソフトウェアのデータブロック１０３からソフトウェアを再構成し、ソフトウェア格納部３７に格納するように制御するものである。
【００４６】
ＡＮＩ部２８は、宅内装置２０がイーサネット網２００との間でイーサネットフレーム８０を送受信するためのインタフェースであり、図２で説明したイーサネットフレーム８０の送受信を行う。
ＵＮＩ部２１は、宅内装置２０がユーザに対してサービスを提供するためのインタフェースである。ＵＮＩ部２１は、ＡＮＩ部２８と同じようにイーサネットフレーム８０を送受信してもよく、更にイーサネットフレーム８０を他形式のフレームに変換して送受信してもよい。
【００４７】
遠隔監視制御部３３のＶＬＡＮ管理部３５は、当該宅内装置２０が終端すべきＶＬＡＮタグの情報を、ＶＬＡＮタグ８３（図２）と同様な形式でＶＬＡＮフィルタ部２５に設定する。
ＶＬＡＮフィルタ部２５は、当該ＶＬＡＮタグの情報に基づき、終端すべきＶＬＡＮフレームを識別し、識別したフレームをイーサネットＯＡＭ分離部２６へ出力する。
イーサネットＯＡＭ分離部２６は、入力されたイーサネットフレーム８０のイーサネットタイプ８４が０ｘ８９０２ならば、イーサネットＯＡＭ処理部３０に出力し、イーサネットタイプ８４が０ｘ８９０２以外の値ならば、フレーム送信バッファ２７に当該イーサネットフレーム８０を出力する。フレーム送信バッファ２７は、ＵＮＩ部２１が図示しないユーザ側の機器に送信するデータを一時的に蓄積する記憶手段である。
【００４８】
イーサネットＯＡＭ処理部３０のベンダ固有ＯＡＭフレーム終端部３２は、イーサネットＯＡＭフレーム８０Ａのうち、ＯｐＣｏｄｅ９３（図３）が０ｘ３３、かつ、ＳｕｂＯｐＣｏｄｅ９６ｂ（図３）が０ｘ２１または０ｘ２Ｆのものを識別して終端し、このイーサネットＯＡＭフレーム８０ＡのメッセージＰＤＵ９６ｅに含まれた制御指示を抽出し、遠隔監視制御部３３に出力する。なお、ＳｕｂＯｐＣｏｄｅ９６ｂは、システムに応じて異なる定義を行ってもよい。
遠隔監視制御部３３は、当該制御指示に対応する処理、例えばインベントリ情報３８の取得処理、ＶＬＡＮ管理処理、ダウンロード制御処理などを行い、その結果をベンダ固有ＯＡＭフレーム生成部３１に出力する。ベンダ固有ＯＡＭフレーム生成部３１は、その結果をメッセージＰＤＵ９６ｅに含むベンダ固有ＯＡＭフレーム８０Ｂを生成して、イーサネットＯＡＭ挿入部２３に出力する。イーサネットＯＡＭ挿入部２３は、主信号に当該ベンダ固有ＯＡＭフレーム８０Ｂを挿入して、フレーム送信バッファ２４に出力する。フレーム送信バッファ２４は、ＡＮＩ部２８が局内装置５０に送信するデータを一時的に蓄積する記憶手段である。
【００４９】
図６は、第１の実施形態に於ける局内装置を示す概略の構成図である。
前記した図１で説明したように、局内装置５０は、ＡＮＩ部５１と、ＮＮＩ部５８と、信号処理部５２と、イーサネットＯＡＭ処理部６０と、遠隔監視制御部６３と、ソフトウェア格納部６７と、ＶＬＡＮ管理テーブル６９と、宅内装置管理テーブル６８とを備えている。なお、図６では、管理網ＩＦ部５９（図１）を略している。
【００５０】
信号処理部５２は、イーサネットＯＡＭ挿入部５３と、フレーム送信バッファ５４と、ＶＬＡＮフィルタ部５５と、イーサネットＯＡＭ分離部５６と、フレーム送信バッファ５７とを備えている。
イーサネットＯＡＭ挿入部５３は、ＮＮＩ部５８から入力されたイーサネットフレーム８０（主信号）に、イーサネットＯＡＭ処理部６０から入力されたイーサネットＯＡＭフレーム８０Ａを挿入して、フレーム送信バッファ５４に出力するものである。
フレーム送信バッファ５４は、イーサネットＯＡＭ挿入部５３から入力されたイーサネットフレーム８０を一時的に蓄積し、ＡＮＩ部５１に出力するものである。
【００５１】
ＶＬＡＮフィルタ部５５（局内側ＶＬＡＮフィルタ部）は、ＡＮＩ部５１から入力されたイーサネットフレーム８０のうち、当該局内装置５０が終端するＶＬＡＮタグを備えたイーサネットフレーム８０を抽出し、イーサネットＯＡＭ分離部５６に出力するものである。
イーサネットＯＡＭ分離部５６は、ＶＬＡＮフィルタ部５５から入力されたイーサネットフレーム８０のうち、イーサネットＯＡＭフレーム８０Ａを分離してイーサネットＯＡＭ処理部６０に出力し、分離した以外のイーサネットフレーム８０をフレーム送信バッファ５７に出力するものである。
フレーム送信バッファ５７は、イーサネットＯＡＭ分離部５６から入力されたイーサネットフレーム８０をＮＮＩ部５８に出力する際に、一時的に蓄積するものである。
【００５２】
イーサネットＯＡＭ処理部６０は、ベンダ固有ＯＡＭフレーム生成部６１と、ベンダ固有ＯＡＭフレーム終端部６２とを備えている。
ベンダ固有ＯＡＭフレーム生成部６１（局内側ＯＡＭ生成部）は、遠隔監視制御部６３が行う遠隔監視制御メッセージをベンダ固有ＯＡＭフレーム８０Ｂに格納して生成し、イーサネットＯＡＭ挿入部５３に出力するものである。すなわち、ベンダ固有ＯＡＭフレーム生成部６１は、ダウンロード制御部６６から、分割したソフトウェアの各データブロックが入力されたならば、各データブロックを含んだイーサネットＯＡＭフレームを生成する。
ベンダ固有ＯＡＭフレーム終端部６２は、イーサネットＯＡＭ分離部５６から入力されたイーサネットＯＡＭフレーム８０Ａのうち、ベンダ固有ＯＡＭフレーム８０Ｂを識別して終端し、当該ベンダ固有ＯＡＭフレーム８０Ｂを遠隔監視制御部６３に出力するものである。
【００５３】
遠隔監視制御部６３は、宅内装置特定部６４と、ＶＬＡＮ管理部６５と、ダウンロード制御部６６とを備えている。
宅内装置特定部６４は、予め規定されたベンダ固有ＯＡＭフレーム８０Ｂによって各宅内装置２０からインベントリ情報３８を取得し、宅内装置管理テーブル６８に保存するものである。
ＶＬＡＮ管理部６５（局内側ＶＬＡＮ管理部）は、各宅内装置２０に遠隔制御用ＶＬＡＮやダウンロード用ＶＬＡＮを設定するものである。ＶＬＡＮ管理部６５は、各宅内装置２０が終端すべき遠隔制御用ＶＬＡＮタグの情報とダウンロード用ＶＬＡＮタグの情報とを、各宅内装置２０に送信して設定する。
ダウンロード制御部６６（局内側ダウンロード制御部）は、ソフトウェア格納部６７に格納されたソフトウェアを、所定サイズのデータブロック１０３に分割して、宅内装置２０にダウンロードする処理を行う。
【００５４】
ＡＮＩ部５１（局内側インタフェース部）は、局内装置５０がイーサネット網２００との間でイーサネットフレーム８０を送受信するためのインタフェースであり、図２で説明したイーサネットフレーム８０の送受信を行う。ＡＮＩ部５１は、各データブロック１０３を含んだイーサネットＯＡＭフレーム８０Ａを、所定のＶＬＡＮを介して宅内装置２０に送信するものである。
ＮＮＩ部５８は、局内装置５０が上位網２０１との間でフレームを送受信するためのインタフェースである。ＮＮＩ部５８は、ＡＮＩ部５１と同じようにイーサネットフレーム８０を送受信しでもよいし、イーサネットフレーム８０を他のフレーム置換したフレームを送受信してもよい。
【００５５】
遠隔監視制御部６３のＶＬＡＮ管理部６５は、当該局内装置５０が終端すべきＶＬＡＮタグの情報を、ＶＬＡＮタグ８３（図２）と同様な形式でＶＬＡＮフィルタ部５５に設定する。
遠隔監視制御部６３は、インベントリ情報３８の取得処理、ＶＬＡＮ管理処理、または、ダウンロード制御処理に係る制御指示を、ベンダ固有ＯＡＭフレーム生成部６１に出力する。
ベンダ固有ＯＡＭフレーム生成部６１は、各制御指示をメッセージＰＤＵ９６ｅに含むベンダ固有ＯＡＭフレーム８０Ｂを生成して、イーサネットＯＡＭ挿入部５３に出力する。
イーサネットＯＡＭ挿入部５３は、当該ベンダ固有ＯＡＭフレーム８０Ｂを主信号のフレームに挿入し、フレーム送信バッファ５４に出力する。フレーム送信バッファ５４は、ＡＮＩ部５１が宅内装置２０に送信するデータを一時的に蓄積する記憶手段である。
【００５６】
更に、ＶＬＡＮフィルタ部５５は、設定されたＶＬＡＮタグの情報に基づき、終端すべきイーサネットフレーム８０を識別し、識別したイーサネットフレーム８０をイーサネットＯＡＭ分離部５６へ出力する。
イーサネットＯＡＭ分離部５６は、受信したイーサネットフレーム８０のイーサネットタイプ８４が０ｘ８９０２ならば、イーサネットＯＡＭ処理部６０に出力し、イーサネットタイプ８４が０ｘ８９０２以外の値ならばフレーム送信バッファ５７に出力する。フレーム送信バッファ５７は、ＮＮＩ部５８が上位網２０１に接続された図示しない装置に送信するデータを一時的に蓄積する記憶手段である。
【００５７】
ベンダ固有ＯＡＭフレーム終端部６２は、イーサネットＯＡＭフレーム８０Ａのうち、ＯｐＣｏｄｅ９３（図３（ｂ））が０ｘ３２、かつ、ＳｕｂＯｐＣｏｄｅ９６ｂ（図３（ｃ））が０ｘ２１または０ｘ２Ｆのものを識別し、識別したイーサネットＯＡＭフレーム８０ＡのメッセージＰＤＵ９６ｅに含まれた制御指示の結果を、遠隔監視制御部６３に出力する。
遠隔監視制御部６３は、ベンダ固有ＯＡＭフレーム終端部６２から入力された制御指示の結果を、インベントリ情報３８の取得処理の応答、ＶＬＡＮ管理処理の応答、または、ダウンロード制御処理の応答などとして解釈し、制御指示の結果に基づき、次に実行すべき制御指示を決定する。
【００５８】
図７は、第１の実施形態に於ける通信システムのＶＬＡＮを示す概略の構成図である。
局内装置５０と宅内装置２０−１〜２０−５との間には、それぞれ遠隔制御用ＶＬＡＮα０（３００）〜ＶＬＡＮα４（３０４）が設定されている。
更に、局内装置５０が遠隔制御用ＶＬＡＮα０（３００）〜ＶＬＡＮα４（３０４）を使用して宅内装置２０−１〜２０−５のインベントリ情報３８を取得した処理の結果を示している。インベントリ情報３８は、各宅内装置２０を特定することが可能な情報である。
【００５９】
第１の実施形態に於ける遠隔制御用ＶＬＡＮα０（３００）〜ＶＬＡＮα４（３０４）は、ダウンロード用のＶＬＡＮと共用である。遠隔制御用ＶＬＡＮα０（３００）〜ＶＬＡＮα４（３０４）をダウンロード用としても用いることにより、局内装置５０は、新たにダウンロード用のＶＬＡＮを設定することなく、ソフトウェアをダウンロードすることができる。
【００６０】
（第１の実施形態の動作）
【００６１】
図８は、第１の実施形態に於ける遠隔制御用ＶＬＡＮの設定処理を示すシーケンス図である。
シーケンスＱ１０〜Ｑ１９は、局内装置５０が、宅内装置２０−１〜２０−５に、遠隔制御用ＶＬＡＮα０（３００）〜ＶＬＡＮα４（３０４）を設定するシーケンスである。
【００６２】
シーケンスＱ１０に於いて、監視制御装置７０の制御部７３は、局内装置５０に、遠隔制御用ＶＬＡＮ情報を通知する。遠隔制御用ＶＬＡＮ情報とは、遠隔制御用ＶＬＡＮα０（３００）〜ＶＬＡＮα４（３０４）の情報と、これらを設定したい宅内装置２０−１〜２０−５のシリアル番号（Ａ１，Ａ２，Ａ３，Ｂ１，Ｂ２）の情報とを含んでいる。
【００６３】
シーケンスＱ１１に於いて、局内装置５０のＶＬＡＮ管理部６５は、監視制御装置７０から受信した宅内装置２０−１〜２０−５のシリアル番号の情報と、遠隔制御用ＶＬＡＮα０（３００）〜ＶＬＡＮα４（３０４）の情報を、ＶＬＡＮ管理テーブル６９に書き込んで更新する。
シーケンスＱ１２に於いて、局内装置５０のＶＬＡＮ管理部６５は、遠隔制御用ＶＬＡＮα０（３００）〜ＶＬＡＮα４（３０４）の情報を、ＶＬＡＮフィルタ部５５に設定する。
【００６４】
シーケンスＱ１３に於いて、局内装置５０のＶＬＡＮ管理部６５は、宅内装置２０−１〜２０−５に、それぞれ遠隔制御用ＶＬＡＮα０（３００）〜ＶＬＡＮα４（３０４）の情報を通知する。
すなわち、イーサネットＯＡＭ処理部６０は、監視制御装置７０から通知されたＶＬＡＮタグ８３を有し、ＯｐＣｏｄｅ９３にＣＣＭを示す０ｘ０１が格納されたイーサネットＯＡＭフレーム８０Ａを生成する。ＡＮＩ部５１は、当該イーサネットＯＡＭフレーム８０Ａを、宅内装置２０−１〜２０−５に送信する。以下、ＯｐＣｏｄｅ９３がＣＣＭのイーサネットＯＡＭフレーム８０Ａを、単に「ＣＣＭフレーム」と記載する。
【００６５】
シーケンスＱ１４−１〜Ｑ１４−５に於いて、宅内装置２０−１〜２０−５のＶＬＡＮ管理部３５は、当該ＣＣＭフレームのＶＬＡＮタグ８３から、ＶＬＡＮα０（３００）〜ＶＬＡＮα４（３０４）の情報を取得して、ＶＬＡＮフィルタ部２５に設定する。
シーケンスＱ１５−１〜Ｑ１５−５に於いて、宅内装置２０−１〜２０−５のＶＬＡＮ管理部３５は、取得したＶＬＡＮα０（３００）〜ＶＬＡＮα４（３０４）の情報を、ＶＬＡＮ管理テーブル３９にそれぞれ設定して更新する。
【００６６】
シーケンスＱ１６に於いて、宅内装置２０−１〜２０−５のＶＬＡＮ管理部３５は、ＶＬＡＮα０（３００）〜ＶＬＡＮα４（３０４）の情報を応答用ＣＣＭフレームに付与して、局内装置５０にそれぞれ送信する。これにより、宅内装置２０−１〜２０−５は、ＶＬＡＮα０（３００）〜ＶＬＡＮα４（３０４）の設定が完了したことを、局内装置５０に通知することができる。
【００６７】
シーケンスＱ１７に於いて、局内装置５０のＶＬＡＮ管理部６５は、宅内装置２０−１〜２０−５から、ＶＬＡＮα０（３００）〜ＶＬＡＮα４（３０４）の情報を有するＣＣＭフレームを受信する。これにより、局内装置５０のＶＬＡＮ管理部６５は、遠隔制御用ＶＬＡＮα０（３００）〜ＶＬＡＮα４（３０４）の設定が完了したことを判断可能である。
【００６８】
シーケンスＱ１８に於いて、局内装置５０のＶＬＡＮ管理部６５は、監視制御装置７０に、遠隔制御用ＶＬＡＮα０（３００）〜ＶＬＡＮα４（３０４）の設定完了を通知する。
シーケンスＱ１９に於いて、監視制御装置７０の制御部７３は、局内装置５０から設定完了通知を受信し、遠隔制御用ＶＬＡＮα０（３００）〜ＶＬＡＮα４（３０４）の設定が正常に完了したことを確認する。シーケンスＱ１９の処理が終了すると、図９に示すシーケンスＱ２０の処理が行われる。
【００６９】
図９は、第１の実施形態に於ける宅内装置の特定とソフトウェアダウンロード処理を示すシーケンス図である。
【００７０】
《宅内装置の特定》
シーケンスＱ２０に於いて、監視制御装置７０の制御部７３は、局内装置５０に対して、当該局内装置５０が収容している各宅内装置２０のインベントリ情報３８の要求を行う。
シーケンスＱ２１に於いて、局内装置５０のＶＬＡＮ管理部６５は、遠隔制御用ＶＬＡＮα０（３００）〜ＶＬＡＮα４（３０４）を介して、宅内装置２０−１〜２０−５に、各宅内装置２０のインベントリ情報３８を要求する。
【００７１】
シーケンスＱ２２に於いて、宅内装置２０−１〜２０−５のインベントリ情報管理部３４は、ＶＬＡＮα０（３００）〜ＶＬＡＮα４（３０４）を介して局内装置５０に、各宅内装置２０のインベントリ情報３８を応答する。
シーケンスＱ２３に於いて、局内装置５０の宅内装置特定部６４は、受信した各宅内装置２０のインベントリ情報３８により、宅内装置管理テーブル６８を更新する。
シーケンスＱ２４に於いて、局内装置５０は、監視制御装置７０に、宅内装置２０のインベントリ情報３８の取得完了応答を行う。
【００７２】
《ソフトウェアのダウンロード処理》
シーケンスＱ２５に於いて、監視制御装置７０の制御部７３は、オペレータから指定されたソフトウェア格納部７４のソフトウェアを、所定の通信形式で局内装置５０に送信する。ここで、宅内装置２０−１〜２０−３用のソフトウェアは、ソフトウェア版数がＡ０ｙである。宅内装置２０−４と宅内装置２０−５用のソフトウェアは、ソフトウェア版数がＢ０ｙである。
シーケンスＱ２６に於いて、局内装置５０は、監視制御装置７０から受信したメッセージからソフトウェアを再構成し、ソフトウェア格納部６７に格納する。
シーケンスＱ２７に於いて、局内装置５０は、監視制御装置７０に、ソフトウェアの受信応答を行う。
【００７３】
シーケンスＱ２８に於いて、監視制御装置７０の制御部７３は、局内装置５０に、収容している各宅内装置２０に対するソフトウェアのダウンロードを指示する。
シーケンスＱ２９に於いて、局内装置５０のダウンロード制御部６６は、後記する図１０に示すフローチャート、または／および、後記する図１２、図１５、図１６に示す各シーケンスによって、宅内装置２０−１〜２０−５に対して、ソフトウェアをダウンロードする。
シーケンスＱ３０に於いて、局内装置５０の宅内装置特定部６４は、ダウンロード結果に基づき、宅内装置管理テーブル６８を更新する。
シーケンスＱ３１に於いて、局内装置５０の遠隔監視制御部６３は、監視制御装置７０に、ソフトウェアのダウンロード完了を応答し、図９の処理を終了する。
【００７４】
宅内装置管理テーブル６８は、シーケンスＱ２９のソフトウェアのダウンロードの前と後とで、宅内装置２０−３のソフトウェア版数が同じ値ならば、宅内装置２０−３に対するソフトウェアのダウンロードが失敗したと判断する。
監視制御装置７０は、宅内装置２０−３にソフトウェアのダウンロードが失敗しているので、シーケンスＱ２９のソフトウェアダウンロード処理を再度実行するか、宅内装置２０−３に対して単独のソフトウェアダウンロード処理を実行するか、または、手作業で宅内装置２０−３のソフトウェアを更新するなどの対処が考えられる。
【００７５】
図１０は、第１の実施形態に於ける宅内装置へのソフトウェアダウンロード処理を示すフローチャートである。
ここでは、局内装置５０が、宅内装置２０−１〜２０−５の構成に応じ、ソフトウェアを各宅内装置２０にダウンロードする処理として説明する。
【００７６】
局内装置５０のダウンロード制御部６６が、宅内装置２０−１〜２０−５にソフトウェアのダウンロードを開始すると、図１０の処理が開始する。
ステップＳ１０に於いて、局内装置５０のダウンロード制御部６６は、宅内装置管理テーブル６８の機種欄の種類それぞれに属する宅内装置２０の数を集計する。図９に示す第１の実施形態では、機種Ａに属する宅内装置２０は３台であり、機種Ｂに属する宅内装置２０は２台である。
ステップＳ１１〜Ｓ１５に於いて、局内装置５０のダウンロード制御部６６は、宅内装置２０の全種類の機種について処理を繰り返す。ここでは処理対象の機種を、当該機種と記載する。
【００７７】
ステップＳ１２に於いて、局内装置５０のダウンロード制御部６６は、当該機種である宅内装置２０の数は１台であるか否かを判断する。局内装置５０のダウンロード制御部６６は、当該判断条件が成立したならば（Ｙｅｓ）、ステップＳ１３の処理を行い、当該判断条件が成立しなかったならば（Ｎｏ）、ステップＳ１４の処理を行う。
ステップＳ１３に於いて、局内装置５０のダウンロード制御部６６は、ユニキャストを使用して、当該機種に属する宅内装置２０にソフトウェアをダウンロードし、ステップＳ１５の処理を行う。
【００７８】
ステップＳ１４に於いて、局内装置５０のダウンロード制御部６６は、当該機種である宅内装置２０との間に、ダウンロード用のＶＬＡＮを設定（構築）し、マルチキャストフレームを使用して、当該機種に属する宅内装置２０にソフトウェアをダウンロードする。
ステップＳ１５に於いて、局内装置５０のダウンロード制御部６６は、宅内装置２０の全種類の機種について処理を繰り返したか否かを判断する。局内装置５０のダウンロード制御部６６は、全種類の機種について処理を繰り返していなかったならば、ステップＳ１１の処理に戻り、全種類の機種について処理を繰り返していたならば、図１０の処理を終了する。
【００７９】
ステップＳ１３に於けるユニキャストのダウンロード処理は、後記する第２、第３の実施形態で説明する。ステップＳ１４に於けるマルチキャストのダウンロード処理は、後記する第４〜第７の実施形態で説明する。
【００８０】
（第１の実施形態の効果）
以上説明した第１の実施形態では、次の（Ａ）〜（Ｃ）のような効果がある。
【００８１】
（Ａ）  局内装置５０は、イーサネット網２００上にある複数の宅内装置２０との間で、遠隔制御用ＶＬＡＮα０（３００）〜ＶＬＡＮα４（３０４）を設定している。これにより、局内装置５０と宅内装置２０とは、イーサネット網２００上にある他の装置に影響を与えることなく、イーサネットフレーム８０を送受信することができる。
【００８２】
（Ｂ）  第１の実施形態では、局内装置５０と複数の宅内装置２０との間で通信するプロトコルに、標準化されたイーサネットＯＡＭを用いている。局内装置５０は、このイーサネットＯＡＭのベンダ固有設定コードによって、宅内装置２０に、ソフトウェアをダウンロードしている。イーサネットＯＡＭフレーム８０Ａを使うことにより、局内装置５０と宅内装置２０の間にあるイーサネット網２００（中継装置など）によって、当該イーサネットＯＡＭフレーム８０Ａが異常フレームと判断されて、破棄される虞がなくなる。更に、ベンダ固有設定コードを使うことにより、局内装置５０は、宅内装置２０に任意の命令を実行させることができる。
【００８３】
（Ｃ）  局内装置５０は、同一機種である宅内装置２０が１台であるときには、既存の遠隔監視用ＶＬＡＮα０（３００）〜ＶＬＡＮα４（３０４）を介して、当該機種にソフトウェアをダウンロードしている。これにより、局内装置５０は、新たにＶＬＡＮを設定することなく、ソフトウェアをダウンロードすることができる。特に、ソフトウェアのサイズが小さいときには効率的である。
【００８４】
（第２の実施形態の構成）
図１１は、第２の実施形態に於ける通信システムのダウンロード用ＶＬＡＮを示す概略の構成図である。
第２の実施形態の通信システム１０Ａは、ダウンロード用ＶＬＡＮβ０（４００）を介して、ユニキャストフレームを送信することにより、単一機種かつ１台の宅内装置２０にソフトウェアをダウンロードするものである。
第２の実施形態の通信システム１０Ａに於いて、局内装置５０は、第１の実施形態の通信システム１０（図１）とは異なり、１種類の機種（機種Ａ）を１台（宅内装置２０−１）だけ収容している。局内装置５０は、宅内装置２０−１との間に遠隔制御用ＶＬＡＮα０（３００）を設定し、更にダウンロード用ＶＬＡＮβ０（４００）を設定している。
第２の実施形態に於ける局内装置５０は、遠隔制御用ＶＬＡＮα０（３００）とは別に、専用のダウンロード用ＶＬＡＮβ０（４００）を設定している。これにより、ダウンロード用通信と遠隔制御用通信とが、相互に干渉することがなくなる。更に、遠隔制御用ＶＬＡＮα０（３００）の帯域が制限されていた場合には、ダウンロード用ＶＬＡＮβ０（４００）に充分な帯域を割り当てることにより、ソフトウェアのダウンロードを短時間で終了させることができる。
【００８５】
（第２の実施形態の動作）
【００８６】
図１２は、第２の実施形態に於けるユニキャストのダウンロード処理を示すシーケンス図である。
第２の実施形態に於けるユニキャストのダウンロード処理とは、局内装置５０のダウンロード制御部６６が、ダウンロード用ＶＬＡＮβ０（４００）を確立し、宅内装置２０−１にソフトウェアのダウンロードを実施するものである。当該ダウンロードの結果、宅内装置２０−１のインベントリ情報３８が格納するソフトウェア版数と、局内装置５０の宅内装置管理テーブル６８が格納するソフトウェア版数とは、Ａ０ｘからＡ０ｙに変更される。
局内装置５０は、当該機種Ａである宅内装置２０−１を１台しか収容していないので、宅内装置２０−１に、ユニキャストフレームによってソフトウェアをダウンロードする。
【００８７】
《ダウンロード用ＶＬＡＮβ０（４００）の設定》
シーケンスＱ４０に於いて、局内装置５０のＶＬＡＮ管理部６５は、遠隔制御用ＶＬＡＮα０（３００）を介して、宅内装置２０−１に、ダウンロード用ＶＬＡＮβ０（４００）の設定指示を送信する。
すなわち、ＶＬＡＮ管理部６５は、ダウンロード用ＶＬＡＮβ０（４００）の設定指示をイーサネットＯＡＭ処理部６０に出力する。イーサネットＯＡＭ処理部６０のベンダ固有ＯＡＭフレーム生成部６１は、当該設定指示をメッセージＰＤＵ９６ｅに含むベンダ固有ＯＡＭフレーム８０Ｂを生成する。信号処理部５２とＡＮＩ部５１とは、当該ベンダ固有ＯＡＭフレーム８０Ｂを、遠隔制御用ＶＬＡＮα０（３００）を介して、宅内装置２０−１に送信する。
シーケンスＱ４１に於いて、宅内装置２０−１のＶＬＡＮ管理部３５は、ＶＬＡＮフィルタ部２５に、ダウンロード用ＶＬＡＮβ０（４００）を設定する。
【００８８】
シーケンスＱ４２に於いて、宅内装置２０−１のＶＬＡＮ管理部３５は、ＶＬＡＮ管理テーブル３９に、ダウンロード用ＶＬＡＮβ０（４００）を設定して更新する。
シーケンスＱ４３に於いて、宅内装置２０−１のＶＬＡＮ管理部３５は、遠隔制御用ＶＬＡＮα０（３００）を介して、局内装置５０に、ダウンロード用ＶＬＡＮβ０（４００）の設定完了を通知する。
すなわち、ＶＬＡＮ管理部３５は、ダウンロード用ＶＬＡＮβ０（４００）の設定完了の結果を、イーサネットＯＡＭ処理部３０に出力する。イーサネットＯＡＭ処理部３０のベンダ固有ＯＡＭフレーム生成部３１は、当該設定完了の結果をメッセージＰＤＵ９６ｅに含むベンダ固有ＯＡＭフレーム８０Ｂを生成する。信号処理部２２とＡＮＩ部２８とは、当該ベンダ固有ＯＡＭフレーム８０Ｂを、遠隔制御用ＶＬＡＮα０（３００）を介して、局内装置５０に送信する。
シーケンスＱ４４に於いて、局内装置５０のＶＬＡＮ管理部６５は、ダウンロード用ＶＬＡＮβ０（４００）の情報を、ＶＬＡＮ管理テーブル６９に登録して更新し、更にＶＬＡＮフィルタ部５５に設定する。
前記するシーケンスＱ４０〜Ｑ４４の処理により、通信システム１０は、ダウンロード用ＶＬＡＮβ０（４００）を設定することができる。
【００８９】
《ソフトウェアのダウンロード》
シーケンスＱ４５に於いて、局内装置５０のダウンロード制御部６６は、遠隔制御用ＶＬＡＮα０（３００）を介して、宅内装置２０−１に、ダウンロード開始指示の「Ｄｏｗｎｌｏａｄ  Ｏｒｄｅｒ：Ｓｔａｒｔ  ＤＬ指示」を送信する。
シーケンスＱ４６に於いて、宅内装置２０−１のダウンロード制御部３６は、遠隔制御用ＶＬＡＮα０（３００）を介して、局内装置５０に、ダウンロード可能応答である「Ｄｏｗｎｌｏａｄ  Ｏｒｄｅｒ：ＯＫ応答」を送信する。
【００９０】
シーケンスＱ４７〜Ｑ５０の処理は、ダウンロード用ＶＬＡＮβ０（４００）を介して、ユニキャストで宅内装置２０−１にダウンロードするものである。局内装置５０のダウンロード制御部６６は、宅内装置２０−１から「Ｄｏｗｎｌｏａｄ  Ｆｒａｍｅ  ＯＫ応答」を受信するか、または、宅内装置２０−１から電源断などのダウンロード不能を示す応答を受信するまで、ソフトウェアの各ダウンロードフレームを順番に繰り返しダウンロードする。局内装置５０のダウンロード制御部６６は、無限にダウンロードしてもよく、所定回数だけ繰り返しダウンロードしてもよく、更に、所定のタイムアウト時間まで繰り返しダウンロードしてもよい。
【００９１】
シーケンスＱ４７に於いて、局内装置５０のダウンロード制御部６６は、ソフトウェア格納部６７からソフトウェア版数「Ａ０ｙ」のソフトウェアを読み出し、各データブロックに分割してダウンロードフレームを生成する。更に、局内装置５０のダウンロード制御部６６は、ダウンロード用ＶＬＡＮβ０（４００）を介して、宅内装置２０−１に、１番目のダウンロードフレーム「Ｄｏｗｎｌｏａｄ  Ｆｒａｍｅ  １」をダウンロードする。
このとき、宅内装置２０−１は、受信した当該イーサネットフレーム８０のＣＲＣ値のチェックを行い、不正なイーサネットフレーム８０と判断し、当該イーサネットフレーム８０を破棄している。当該メッセージＰＤＵ９６ｅに含まれるダウンロードシーケンス番号１０１は１であり、最大ダウンロードシーケンス番号１０２は（ｎ＋１）である。
宅内装置２０−１は、ダウンロードシーケンス番号１０１と最大ダウンロードシーケンス番号１０２によって、ソフトウェアの全てのダウンロードフレーム「Ｄｏｗｎｌｏａｄ  Ｆｒａｍｅ」を受信できたか否かを判断する。
【００９２】
シーケンスＱ４８に於いて、局内装置５０のダウンロード制御部６６は、ダウンロード用ＶＬＡＮβ０（４００）を介して、宅内装置２０−１に、２番目のダウンロードフレームの「Ｄｏｗｎｌｏａｄ  Ｆｒａｍｅ  ２」をダウンロードする。２番目のダウンロードフレームに含まれるダウンロードシーケンス番号１０１は２であり、最大ダウンロードシーケンス番号１０２は（ｎ＋１）である。
【００９３】
局内装置５０のダウンロード制御部６６は、以下同様に、ダウンロードフレームの番号順に処理を繰り返す。
シーケンスＱ５０に於いて、局内装置５０のダウンロード制御部６６は、ダウンロード用ＶＬＡＮβ０（４００）を介して、宅内装置２０−１に、（ｎ＋１）番目のダウンロードフレームの「Ｄｏｗｎｌｏａｄ  Ｆｒａｍｅ  ｎ＋１」をダウンロードする。（ｎ＋１）番目のダウンロードフレームのダウンロードシーケンス番号１０１は（ｎ＋１）であり、最大ダウンロードシーケンス番号１０２は（ｎ＋１）である。
シーケンスＱ５１に於いて、局内装置５０のダウンロード制御部６６は、ダウンロード用ＶＬＡＮβ０（４００）を介して、宅内装置２０−１に、再び１番目のダウンロードフレームの「Ｄｏｗｎｌｏａｄ  Ｆｒａｍｅ  １」をダウンロードする。
シーケンスＱ５２に於いて、宅内装置２０−１のダウンロード制御部３６は、ダウンロード用ＶＬＡＮβ０（４００）を介して、局内装置５０に、全てのダウンロードフレーム受信ＯＫの「Ｄｏｗｎｌｏａｄ  Ｆｒａｍｅ  ＯＫ応答」を送信する。
【００９４】
シーケンスＱ５３に於いて、局内装置５０のダウンロード制御部６６は、ダウンロードフレームのダウンロードを停止する。局内装置５０のダウンロード制御部６６は更に、遠隔制御用ＶＬＡＮα０（３００）を介して、宅内装置２０−１に、ダウンロード完了処理の「Ｄｏｗｎｌｏａｄ  Ｏｒｄｅｒ：Ｅｎｄ  ＤＬ指示」を送信する。
【００９５】
シーケンスＱ５４に於いて、宅内装置２０−１のダウンロード制御部３６は、ＣＲＣ１０４（図４）によって、ダウンロードして再構成したソフトウェアの正当性をチェックする。宅内装置２０−１のダウンロード制御部３６は、ＣＲＣチェックで問題がなければ、再構成したソフトウェアをソフトウェア格納部３７に格納する。
シーケンスＱ５５に於いて、宅内装置２０−１のインベントリ情報管理部３４は、インベントリ情報３８に格納されているソフトウェア版数を、Ａ０ｘからＡ０ｙに更新する。
シーケンスＱ５６に於いて、宅内装置２０−１のダウンロード制御部３６は、遠隔制御用ＶＬＡＮα０（３００）を介して、局内装置５０に、ダウンロード処理の完了応答の「Ｄｏｗｎｌｏａｄ  Ｏｒｄｅｒ：ＯＫ応答」を送信する。
【００９６】
シーケンスＱ５７に於いて、局内装置５０のダウンロード制御部６６は、宅内装置管理テーブル６８が格納する宅内装置２０−１のソフトウェア版数を、Ａ０ｘからＡ０ｙに更新する。
【００９７】
《ダウンロード用ＶＬＡＮβ０（４００）の設定》
シーケンスＱ５８に於いて、局内装置５０のＶＬＡＮ管理部６５は、遠隔制御用ＶＬＡＮα０（３００）を介して、宅内装置２０−１に、ダウンロード用ＶＬＡＮβ０（４００）の削除指示を送信する。
シーケンスＱ５９に於いて、宅内装置２０−１のＶＬＡＮ管理部３５は、ＶＬＡＮフィルタ部２５からＶＬＡＮβ０（４００）の設定を削除する。
シーケンスＱ６０に於いて、宅内装置２０−１のＶＬＡＮ管理部３５は、ＶＬＡＮ管理テーブル３９から、ＶＬＡＮβ０（４００）の設定を削除して更新する。
シーケンスＱ６１に於いて、宅内装置２０−１のＶＬＡＮ管理部３５は、局内装置５０に、ダウンロード用ＶＬＡＮβ０（４００）の設定削除完了を通知する。
シーケンスＱ６２に於いて、局内装置５０のＶＬＡＮ管理部６５は、ＶＬＡＮフィルタ部５５からＶＬＡＮβ０（４００）の設定を削除し、ＶＬＡＮ管理テーブル６９からＶＬＡＮβ０（４００）に係るエントリを削除し、図１２の処理を終了する。
【００９８】
（第２の実施形態の効果）
以上説明した第２の実施形態では、次の（Ｄ）のような効果がある。
【００９９】
（Ｄ）  局内装置５０は、ダウンロード用ＶＬＡＮβ０（４００）を設定したのちに、ソフトウェアをダウンロードしている。これにより、局内装置５０は、遠隔制御用のイーサネットフレーム８０の送受信と干渉することなしに、ソフトウェアをダウンロードすることができる。更に、局内装置５０は、ダウンロードが終了したときに、ダウンロード用ＶＬＡＮβ０（４００）の設定を削除して、ネットワークのリソースを解放しているので、他のトラヒックへの影響を抑止することができる。
【０１００】
（第３の実施形態の構成）
図１３は、第３の実施形態に於ける通信システムの共用ＶＬＡＮを示す概略の構成図である。
第３の実施形態は、遠隔制御用ＶＬＡＮα０（３００）を介して、ユニキャストフレームを送信することにより、単一機種かつ１台の宅内装置２０に、ソフトウェアをダウンロードするものである。
第３の実施形態の通信システム１０Ｂは、第２の実施形態の通信システム１０Ａ（図１１）とは異なり、局内装置５０と宅内装置２０−１との間に、遠隔制御用かつユニキャストフレームのダウンロード用のＶＬＡＮα０（３００）が設定されている。それ以外の構成は、第２の実施形態の通信システム１０Ａと同様である。
【０１０１】
（第３の実施形態の動作）
通信システム１０Ｂでは、図１２に示すダウンロード処理のシーケンスＱ４７〜Ｑ５６は、ＶＬＡＮβ０（４００）を介してではなく、ＶＬＡＮα０（３００）を介してダウンロードが行われる。それ以外のシーケンスは、第２の実施形態に示すダウンロード処理（図１２）のシーケンスと同様である。
【０１０２】
（第３の実施形態の効果）
以上説明した第３の実施形態では、次の（Ｅ）のような効果がある。
【０１０３】
（Ｅ）  局内装置５０は、遠隔制御用ＶＬＡＮα０（３００）を、ダウンロード用と兼用して使用している。これにより、局内装置５０は、新たなＶＬＡＮβ０（４００）を設定することなく、ソフトウェアのダウンロードが可能である。
【０１０４】
（第４の実施形態の構成）
【０１０５】
図１４は、第４の実施形態に於ける通信システムのダウンロード用ＶＬＡＮを示す概略の構成図である。
第４の実施形態は、マルチキャストフレームを送信することにより、単一機種かつ複数台の宅内装置２０に、ソフトウェアをダウンロードするものである。
第４の実施形態の通信システム１０Ｃは、第１の実施形態の通信システム１０（図１）の宅内装置２０−４，２０−５を備えていない。それ以外は、第１の実施形態の通信システム１０と同様に構成されている。
第４の実施形態に於いて、局内装置５０と宅内装置２０−１〜２０−３との間には、それぞれ遠隔制御用ＶＬＡＮα０（３００）〜ＶＬＡＮα２（３０２）が設定されている。更に、局内装置５０と宅内装置２０−１〜２０−３との間には、ダウンロード用ＶＬＡＮβ０（４００）が設定されている。
【０１０６】
（第４の実施形態の動作）
【０１０７】
図１５は、第４の実施形態に於けるマルチキャストのダウンロード処理（その１）を示すシーケンス図である。
局内装置５０は、ソフトウェアダウンロード処理（図１０）により、機種Ａの３台の宅内装置２０が接続されていることを認識すると、図１５の処理が開始する。
シーケンスＱ７０に於いて、局内装置５０は、遠隔制御用ＶＬＡＮα０（３００）〜ＶＬＡＮα２（３０２）を介して、ダウンロード用ＶＬＡＮβ０（４００）の設定指示を含むベンダ固有ＯＡＭフレーム８０Ｂを、それぞれ宅内装置２０−１〜２０−３に送信する。
シーケンスＱ７１−１〜Ｑ７１−３に於いて、宅内装置２０−１〜２０−３のＶＬＡＮ管理部３５は、ダウンロード用ＶＬＡＮβ０（４００）を、ＶＬＡＮフィルタ部２５に設定する。
【０１０８】
シーケンスＱ７２−１〜Ｑ７２−３に於いて、宅内装置２０−１〜２０−３のＶＬＡＮ管理部３５は、ダウンロード用ＶＬＡＮβ０（４００）の情報を、ＶＬＡＮ管理テーブル３９に格納する。
シーケンスＱ７３に於いて、宅内装置２０−１〜２０−３のＶＬＡＮ管理部３５は、遠隔制御用ＶＬＡＮα０（３００）〜ＶＬＡＮα２（３０２）を介して、ダウンロード用ＶＬＡＮβ０（４００）の設定完了通知を含むベンダ固有ＯＡＭフレーム８０Ｂを、それぞれ宅内装置２０−１〜２０−３に送信する。
シーケンスＱ７４に於いて、局内装置５０（ＶＬＡＮ管理部６５）は、ＶＬＡＮβ０（４００）の情報を、ＶＬＡＮ管理テーブル６９に追加する。局内装置５０（ＶＬＡＮ管理部６５）は、ＶＬＡＮフィルタ部５５に、ＶＬＡＮβ０（４００）を設定する。
【０１０９】
シーケンスＱ８０に於いて、局内装置５０のダウンロード制御部６６は、遠隔制御用ＶＬＡＮα０（３００）〜ＶＬＡＮα２（３０２）を介して、それぞれ宅内装置２０−１〜２０−３に、ダウンロード開始を示す「Ｄｏｗｎｌｏａｄ  Ｏｒｄｅｒ：Ｓｔａｒｔ  ＤＬ指示」を含むベンダ固有ＯＡＭフレーム８０Ｂを送信する。
シーケンスＱ８１に於いて、宅内装置２０−１〜２０−３のダウンロード制御部３６は、遠隔制御用ＶＬＡＮα０（３００）〜ＶＬＡＮα２（３０２）を介して、局内装置５０に、ダウンロード可能を示す「Ｄｏｗｎｌｏａｄ  Ｏｒｄｅｒ：ＯＫ応答」を含むベンダ固有ＯＡＭフレーム８０Ｂを送信する。
【０１１０】
シーケンスＱ８２に於いて、局内装置５０のダウンロード制御部６６は、ソフトウェア格納部６７から宅内装置２０−１〜２０−３にダウンロードするソフトウェア版数がＡ０ｙのソフトウェアを読み出して、各データブロック１〜ｎに分割する。局内装置５０のダウンロード制御部６６は、それぞれダウンロード用ベンダ固有ＯＡＭフレーム８０Ｂに格納する。局内装置５０のダウンロード制御部６６は、ＶＬＡＮβ０（４００）を介して、宅内装置２０−１〜２０−３に、１番目のダウンロード用ベンダ固有ＯＡＭフレーム８０Ｂをマルチキャストフレームで送信する（Ｄｏｗｎｌｏａｄ  Ｆｒａｍｅ  １）。宅内装置２０−１は、当該１番目のダウンロード用ベンダ固有ＯＡＭフレーム８０Ｂの受信でエラーを検知して、当該ベンダ固有ＯＡＭフレーム８０Ｂを破棄する。
【０１１１】
ダウンロード用ベンダ固有ＯＡＭフレーム８０Ｂをマルチキャストフレームとして送信するために、宛先ＭＡＣアドレス８１は、ITU-T Y.1731の１０．１節に規定したMulticast DA Class1またはMulticast DA Class2に準拠した値、例えば、０１−８０−Ｃ２−００−００−３ｚ（ｚは、当該イーサネットＯＡＭのＭＥＧレベル）となる。
図４に示すように、ダウンロード用ベンダ固有ＯＡＭフレーム８０Ｂは、ダウンロードシーケンス番号１０１と最大ダウンロードシーケンス番号１０２とを備えている。
１番目のダウンロード用ベンダ固有ＯＡＭフレーム８０Ｂは、ダウンロードシーケンス番号１０１が１であり、最大ダウンロードシーケンス番号１０２は（ｎ＋１）である。
ダウンロードに於いて、各宅内装置２０は、ダウンロードシーケンス番号１０１と最大ダウンロードシーケンス番号１０２とに基づき、ソフトウェアを格納した全てのダウンロード用ベンダ固有ＯＡＭフレーム８０Ｂを受信できたか否かを判断する。
【０１１２】
シーケンスＱ８３に於いて、局内装置５０のダウンロード制御部６６は、ＶＬＡＮβ０（４００）を介して、宅内装置２０−１〜２０−３に、２番目のダウンロード用ベンダ固有ＯＡＭフレーム８０Ｂをマルチキャストフレームで送信する（Ｄｏｗｎｌｏａｄ  Ｆｒａｍｅ  ２）。
２番目のダウンロード用ベンダ固有ＯＡＭフレーム８０Ｂは、ダウンロードシーケンス番号１０１が１であり、最大ダウンロードシーケンス番号１０２は（ｎ＋１）である。
以下同様に、シーケンスＱ８４に於いて、局内装置５０のダウンロード制御部６６は、ＶＬＡＮβ０（４００）を介して、宅内装置２０−１〜２０−３に、（ｎ＋１）番目のダウンロード用ベンダ固有ＯＡＭフレーム８０Ｂをマルチキャストフレームで送信する（Ｄｏｗｎｌｏａｄ  Ｆｒａｍｅ  ｎ＋１）。宅内装置２０−３は、当該（ｎ＋１）番目のダウンロード用ベンダ固有ＯＡＭフレーム８０Ｂの受信でエラーを検知して、当該ベンダ固有ＯＡＭフレーム８０Ｂを破棄する。
【０１１３】
（ｎ＋１）番目のダウンロード用ベンダ固有ＯＡＭフレーム８０Ｂは、ダウンロードシーケンス番号１０１が（ｎ＋１）であり、最大ダウンロードシーケンス番号１０２は（ｎ＋１）である。
シーケンスＱ８５に於いて、宅内装置２０−２は、１番目から（ｎ＋１）番目まで全てのダウンロード用ベンダ固有ＯＡＭフレーム８０Ｂを受信したと判断する。宅内装置２０−２は、ＶＬＡＮβ０（４００）を介して、局内装置５０に、全てのダウンロードフレーム受信ＯＫの「Ｄｏｗｎｌｏａｄ  Ｆｒａｍｅ  ＯＫ応答」を含むベンダ固有ＯＡＭフレーム８０Ｂを送信する。
シーケンスＱ８６に於いて、局内装置５０のダウンロード制御部６６は、ＶＬＡＮβ０（４００）を介して、宅内装置２０−１〜２０−３に、１番目のダウンロード用ベンダ固有ＯＡＭフレーム８０Ｂをマルチキャストフレームで送信する（Ｄｏｗｎｌｏａｄ  Ｆｒａｍｅ  １）。
【０１１４】
シーケンスＱ８７に於いて、宅内装置２０−１は、１番目から（ｎ＋１）番目まで全てのダウンロード用ベンダ固有ＯＡＭフレーム８０Ｂを受信したと判断する。宅内装置２０−１は、ＶＬＡＮβ０（４００）を介して、局内装置５０に、全てのダウンロードフレーム受信ＯＫの「Ｄｏｗｎｌｏａｄ  Ｆｒａｍｅ  ＯＫ応答」を含むベンダ固有ＯＡＭフレーム８０Ｂを送信する。
シーケンスＱ８８に於いて、局内装置５０のダウンロード制御部６６は、ＶＬＡＮβ０（４００）を介して、宅内装置２０−１〜２０−３に、２番目のダウンロード用ベンダ固有ＯＡＭフレーム８０Ｂをマルチキャストフレームで送信し（Ｄｏｗｎｌｏａｄ  Ｆｒａｍｅ  １）、以下同様に処理を行う。
シーケンスＱ８９に於いて、局内装置５０のダウンロード制御部６６は、ＶＬＡＮβ０（４００）を介して、宅内装置２０−１〜２０−３に、（ｎ＋１）番目のダウンロード用ベンダ固有ＯＡＭフレーム８０Ｂをマルチキャストフレームで送信する（Ｄｏｗｎｌｏａｄ  Ｆｒａｍｅ  ｎ＋１）。宅内装置２０−３は、当該（ｎ＋１）番目のダウンロード用ベンダ固有ＯＡＭフレーム８０Ｂの受信でエラーを検知して、当該ベンダ固有ＯＡＭフレーム８０Ｂを破棄する。
【０１１５】
局内装置５０は、以下同様に繰り返し処理を行う。
更に局内装置５０は、宅内装置２０からのＣＣＭの応答を受信できなくなるか、または、宅内装置２０から電源オフが通知されたならば、ダウンロードできないと判断し、当該宅内装置２０をダウンロード対象から除外する。これにより、局内装置５０は、ダウンロードの終了を適切に判断することができる。
シーケンスＱ９０に於いて、局内装置５０のダウンロード制御部６６は、ダウンロードが開始したのち所定時間が経過したので、ダウンロード処理を停止する。これにより、局内装置５０は、ダウンロードに伴うネットワーク負荷を軽減することができる。
しかし、これに限られず、ダウンロード処理の停止は、所定の再送回数を行ったのちでもよい。更に、局内装置５０のダウンロード制御部６６は、ダウンロード処理を停止せず、無限に繰り返してもよい。
【０１１６】
図１６は、第４の実施形態に於けるマルチキャストのダウンロード処理（その２）を示すシーケンス図である。
シーケンスＱ９１に於いて、局内装置５０のダウンロード制御部６６は、遠隔制御用ＶＬＡＮα０（３００）を介して、宅内装置２０−１に、「Ｄｏｗｎｌｏａｄ  Ｏｒｄｅｒ：Ｅｎｄ  ＤＬ指示」を含むベンダ固有ＯＡＭフレーム８０Ｂを送信する。
シーケンスＱ９２に於いて、宅内装置２０−１のダウンロード制御部３６は、ＣＲＣ１０４（図４）によって、ダウンロードしたソフトウェアの完全性をチェックし、ダウンロードしたソフトウェアをソフトウェア格納部３７に格納する。
シーケンスＱ９３に於いて、宅内装置２０−１のダウンロード制御部３６は、ダウンロードしたソフトウェアのソフトウェア版数Ａ０ｙを、インベントリ情報３８に保存して更新する。
【０１１７】
シーケンスＱ９４に於いて、宅内装置２０−１のダウンロード制御部３６は、遠隔制御用ＶＬＡＮα０（３００）を介して、局内装置５０に、「Ｄｏｗｎｌｏａｄ  Ｏｒｄｅｒ：ＯＫ応答」を含むベンダ固有ＯＡＭフレーム８０Ｂを送信する。
シーケンスＱ９５〜Ｑ９８に於いて、局内装置５０と宅内装置２０−２とは、それぞれシーケンスＱ９１〜Ｑ９４と同様の処理を行う。
シーケンスＱ９９に於いて、局内装置５０のダウンロード制御部６６は、遠隔制御用ＶＬＡＮα０（３００）を介して、宅内装置２０−３に、「Ｄｏｗｎｌｏａｄ  Ｏｒｄｅｒ：Ｅｎｄ  ＤＬ指示」を含むベンダ固有ＯＡＭフレーム８０Ｂを送信する。
シーケンスＱ１００に於いて、宅内装置２０−３は、ダウンロードタイムアウトしても全てのＤｏｗｎｌｏａｄ  Ｆｒａｍｅを受信できなかったため、遠隔制御用ＶＬＡＮα０（３００）を介して、局内装置５０に、「Ｄｏｗｎｌｏａｄ  Ｏｒｄｅｒ：ＤＬ失敗応答」を含むベンダ固有ＯＡＭフレーム８０Ｂを送信する。
【０１１８】
シーケンスＱ１０１に於いて、局内装置５０の宅内装置特定部６４は、宅内装置管理テーブル６８に管理されている宅内装置２０−１，２０−２のソフトウェア版数を、それぞれＡ０ｘからＡ０ｙに更新する。宅内装置２０−３は、ソフトウェアの更新に失敗したので、宅内装置管理テーブル６８に管理されている宅内装置２０−３のソフトウェア版数の内容は、Ａ０ｘのままである。
【０１１９】
シーケンスＱ１０２に於いて、局内装置５０のＶＬＡＮ管理部６５は、遠隔制御用ＶＬＡＮα０（３００）〜ＶＬＡＮα２（３０２）を介して、各宅内装置２０−１〜２０−３に、ダウンロード用ＶＬＡＮβ０（４００）の設定削除指示を含むベンダ固有ＯＡＭフレーム８０Ｂを、送信する。
シーケンスＱ１０３−１〜Ｑ１０３−３に於いて、宅内装置２０−１〜２０−３のＶＬＡＮ管理部３５は、ＶＬＡＮ管理テーブル３９から、ダウンロード用ＶＬＡＮβ０（４００）の情報を削除する。
シーケンスＱ１０４−１〜Ｑ１０４−３に於いて、宅内装置２０−１〜２０−３のＶＬＡＮ管理部３５は、ＶＬＡＮフィルタ部２５から、ダウンロード用ＶＬＡＮβ０（４００）の設定を削除する。
【０１２０】
シーケンスＱ１０５に於いて、宅内装置２０−１〜２０−３のＶＬＡＮ管理部３５は、遠隔制御用ＶＬＡＮα０（３００）〜ＶＬＡＮα２（３０２）を介して、局内装置５０に、ダウンロード用ＶＬＡＮβ０（４００）の設定削除完了通知を含むベンダ固有ＯＡＭフレーム８０Ｂを送信する。
シーケンスＱ１０６に於いて、局内装置５０のＶＬＡＮ管理部６５は、ＶＬＡＮ管理テーブル６９とＶＬＡＮフィルタ部５５から、ダウンロード用ＶＬＡＮβ０（４００）の設定を削除し、図１６の処理を終了する。
【０１２１】
（第４の実施形態の効果）
以上説明した第４の実施形態では、次の（Ｆ）のような効果がある。
【０１２２】
（Ｆ）  局内装置５０は、同一機種に係る複数の宅内装置２０に対して、マルチキャストフレームによってソフトウェアを繰り返しダウンロードし、全ての宅内装置２０からダウンロードフレーム受信ＯＫを受信するまで繰り返している。これにより、ダウンロード対象となる宅内装置２０の台数が多い場合であっても、短時間に多くの宅内装置２０にダウンロードを完了することができる。更に、各宅内装置２０は、ソフトウェアのダウンロードを完了したときのみ、局内装置５０に応答しているので、ダウンロードに伴うトラヒックを最小化して、ダウンロードに伴う負荷を最小化することができる。
【０１２３】
（第５の実施形態の構成）
図１７は、第５の実施形態に於ける通信システムのダウンロード用ＶＬＡＮを示す概略の構成図である。
第５の実施形態の通信システム１０Ｄは、ユニキャストフレームを送信することにより、それぞれ機種が異なる２台の宅内装置２０にソフトウェアをダウンロードするものである。
第５の実施形態の通信システム１０Ｄは、第１の実施形態の通信システム１０（図１）とは異なり、宅内装置２０−２，２０−３，２０−５を備えていない。それ以外は、第１の実施形態の通信システム１０と同様に構成されている。
第５の実施形態に於ける局内装置５０は、第１の実施形態（図１）とは異なり、それぞれ機種が異なる２台の宅内装置２０を収容している。
第５の実施形態に於いて、局内装置５０と宅内装置２０−１との間には、遠隔制御用ＶＬＡＮα０（３００）とダウンロード用ＶＬＡＮβ０（４００）とが設定されている。
局内装置５０と宅内装置２０−４との間には、遠隔制御用ＶＬＡＮα３（３０３）とダウンロード用のＶＬＡＮβ１（４０１）とが設定されている。
【０１２４】
（第５の実施形態の動作）
第５の実施形態の通信システム１０Ｄの局内装置５０は、２機種の宅内装置２０−１と宅内装置２０−４に対して、それぞれユニキャストフレームによって各機種のソフトウェアをダウンロードする。
局内装置５０は、図９に示すシーケンスＱ１０〜Ｑ１９と同様にして、遠隔制御用ＶＬＡＮα０（３００）とＶＬＡＮα３（３０３）とを設定し、宅内装置２０−１と宅内装置２０−４を遠隔制御している。
ダウンロード用ＶＬＡＮβ０（４００）は、局内装置５０から宅内装置２０−１へのソフトウェアのダウンロードに使用される。ダウンロード用ＶＬＡＮβ１（４０１）は、局内装置５０から宅内装置２０−２へのソフトウェアのダウンロードに使用される。
図１７では、ダウンロード用ＶＬＡＮβ０（４００）およびＶＬＡＮβ１（４０１）は、それぞれ遠隔制御用ＶＬＡＮα０（３００）およびＶＬＡＮα３（３０３）と異なっている。
第５の実施形態の局内装置５０は、宅内装置２０−１と宅内装置２０−４に、ユニキャストのダウンロード処理（図１２）を並行して行う。このダウンロード処理により、宅内装置２０−１のインベントリ情報３８が管理するソフトウェア版数は、Ａ０ｘからＡ０ｙに変更される。宅内装置２０−４のインベントリ情報３８が管理するソフトウェア版数は、Ｂ０ｘからＢ０ｙに変更される。これら宅内装置２０のインベントリ情報３８は、宅内装置管理テーブル６８に設定される。
【０１２５】
（第５の実施形態の効果）
以上説明した第５の実施形態では、次の（Ｇ）のような効果がある。
【０１２６】
（Ｇ）  局内装置５０は、異なる機種の宅内装置２０に対して、それぞれのダウンロード用ＶＬＡＮβ０（４００）とＶＬＡＮβ１（４０１）とを設定している。これにより、異なる機種の宅内装置２０に、それぞれ異なるソフトウェアをダウンロードすることができる。
【０１２７】
（第６の実施形態の構成）
図１８は、第６の実施形態に於ける通信システムのダウンロード用ＶＬＡＮを示す概略の構成図である。
第６の実施形態は、マルチキャストフレームを送信することにより、宅内装置２０−１〜２０−３に第１のソフトウェアをダウンロードし、更にユニキャストフレームを送信することにより、宅内装置２０−４に第２のソフトウェアをダウンロードするものである。
第６の実施形態の通信システム１０Ｅは、第１の実施形態の通信システム１０（図１）の宅内装置２０−５を備えていない。それ以外は、第１の実施形態の通信システム１０（図１）と同様に構成されている。
【０１２８】
第６の実施形態に於いて、局内装置５０と宅内装置２０−１〜２０−４との間には、それぞれ遠隔制御用ＶＬＡＮα０（３００）〜ＶＬＡＮα３（３０３）が設定されている。
局内装置５０と宅内装置２０−１〜２０−３との間には、ダウンロード用ＶＬＡＮβ０（４００）が設定されている。
局内装置５０と宅内装置２０−４との間には、ダウンロード用のＶＬＡＮβ１（４０１）が設定されている。
【０１２９】
（第６の実施形態の動作）
第６の実施形態の通信システム１０Ｅの局内装置５０は、宅内装置２０−１〜２０−３に対して、マルチキャストフレームによってソフトウェアをダウンロードし、宅内装置２０−４に対して、ユニキャストフレームによってソフトウェアをダウンロードする。
局内装置５０は、図８に示すシーケンスＱ１０〜Ｑ１９と同様にして、遠隔制御用ＶＬＡＮα０（３００）とＶＬＡＮα３（３０３）とを設定し、宅内装置２０−１と宅内装置２０−４をと遠隔制御している。
【０１３０】
局内装置５０と宅内装置２０−１〜２０−３との間に設定されたＶＬＡＮβ０（４００）と、局内装置５０と宅内装置２０−４との間に設定されたＶＬＡＮβ１（４０１）は、ソフトウェアのダウンロードに使用される。
第６の実施形態の局内装置５０は、宅内装置２０−１〜２０−３に、マルチキャストのダウンロード処理（図１５、図１６）を行い、宅内装置２０−４に、ユニキャストのダウンロード処理（図１２）を行う。これらのダウンロード処理により、宅内装置２０−１〜２０−２のインベントリ情報３８が管理するソフトウェア版数は、Ａ０ｘからＡ０ｙに変更され、ソフトウェアの更新に失敗した宅内装置２０−３の宅内装置管理テーブル６８が管理するソフトウェア版数は、従来のＡ０ｘのままである。宅内装置２０−４のインベントリ情報３８が管理するソフトウェア版数は、Ｂ０ｘからＢ０ｙに変更される。これら宅内装置２０のインベントリ情報３８は、宅内装置管理テーブル６８に設定される。
【０１３１】
（第６の実施形態の効果）
以上説明した第６の実施形態では、次の（Ｈ）のような効果がある。
【０１３２】
（Ｈ）  局内装置５０は、異なる機種の宅内装置２０に対して、それぞれのダウンロード用ＶＬＡＮβ０（４００）とＶＬＡＮβ１（４０１）とを設定している。更に、同一機種に係る複数台の宅内装置２０が接続されているときには、マルチキャストフレームによってソフトウェアをダウンロードしている。これにより、異なる機種の宅内装置２０に、それぞれ異なるソフトウェアをダウンロードすることができると共に、ダウンロード対象となる宅内装置２０の台数が多い場合であっても、短時間に多くの宅内装置２０にダウンロードを完了することができる。
【０１３３】
（第７の実施形態の構成）
図１９は、第７の実施形態に於ける通信システムのダウンロード用ＶＬＡＮを示す概略の構成図である。
第７の実施形態の通信システム１０Ｆは、第１のマルチキャストフレームを送信することにより、宅内装置２０−１〜２０−３に第１のソフトウェアをダウンロードし、第２のマルチキャストフレームを送信することにより、宅内装置２０−４〜２０−５に第２のソフトウェアをダウンロードするものである。
第７の実施形態の通信システム１０Ｆは、第１の実施形態の通信システム１０（図１）と同様に構成されている。
【０１３４】
第７の実施形態に於いて、局内装置５０と宅内装置２０−１〜２０−５との間には、それぞれ遠隔制御用ＶＬＡＮα０（３００）〜ＶＬＡＮα４（３０４）が設定されている。
局内装置５０と宅内装置２０−１〜２０−３との間には、ダウンロード用ＶＬＡＮβ０（４００）が設定されている。
局内装置５０と宅内装置２０−４，２０−５との間には、ダウンロード用のＶＬＡＮβ１（４０１）が設定されている。
【０１３５】
（第７の実施形態の動作）
第７の実施形態の通信システム１０Ｆの局内装置５０は、宅内装置２０−１〜２０−３に対して、第１のマルチキャストフレームによってソフトウェアをダウンロードし、宅内装置２０−４，２０−５に対して、第２のマルチキャストフレームによってソフトウェアをダウンロードする。
局内装置５０は、図９に示すシーケンスＱ１０〜Ｑ１９と同様にして、遠隔制御用ＶＬＡＮα０（３００）とＶＬＡＮα４（３０４）とを設定し、宅内装置２０−１と宅内装置２０−５を遠隔制御している。
【０１３６】
局内装置５０と宅内装置２０−１〜２０−３との間に設定されたＶＬＡＮβ０（４００）と、局内装置５０と宅内装置２０−４，２０−５との間に設定されたＶＬＡＮβ１（４０１）は、ソフトウェアのダウンロードに使用される。
第６の実施形態の局内装置５０は、宅内装置２０−１〜２０−３に、第１のマルチキャストのダウンロード処理を行い、宅内装置２０−４に、第２のマルチキャストのダウンロード処理を行う。これらのダウンロード処理により、宅内装置２０−１〜２０−２のインベントリ情報３８が管理するソフトウェア版数は、Ａ０ｘからＡ０ｙに更新され、ソフトウェアの更新に失敗した宅内装置２０−３の宅内装置管理テーブル６８が管理するソフトウェア版数は、従来のＡ０ｘのままである。宅内装置２０−４，２０−５のインベントリ情報３８が管理するソフトウェア版数は、Ｂ０ｘからＢ０ｙに更新される。これら宅内装置２０のインベントリ情報３８は、宅内装置管理テーブル６８に設定される。
【０１３７】
（第７の実施形態の効果）
以上説明した第７の実施形態では、次の（Ｉ）のような効果がある。
【０１３８】
（Ｉ）  局内装置５０は、異なる機種の宅内装置２０に対して、それぞれのダウンロード用ＶＬＡＮβ０（４００）とＶＬＡＮβ１（４０１）とを設定している。更に、同一機種に係る複数台の宅内装置２０が接続されているときには、マルチキャストフレームによってソフトウェアをダウンロードしている。異なる機種の宅内装置２０に、それぞれ異なるソフトウェアをマルチキャストフレームによって、それぞれダウンロードしているので、短時間に多くの宅内装置２０にダウンロードを完了することができる。
【０１３９】
（変形例）
本発明は、上記実施形態に限定されることなく、本発明の趣旨を逸脱しない範囲で、変更実施が可能であり、例えば、次の（ａ）〜（ｂ）のようなものがある。
【０１４０】
（ａ）  第１〜第７の実施形態では、宅内装置２０のソフトウェア格納部３７と局内装置５０のソフトウェア格納部６７とは、当該宅内装置２０を制御するソフトウェアプログラム（ファームウェア）を格納している。しかし、これに限られず、当該宅内装置２０のＦＰＧＡ（Field-Programmable Gate Array）のプログラムデータ、宅内装置２０のファームウェアが参照する各種データや各種リソース（画像、音声、テキストなど）、または、宅内装置２０がユーザ側ネットワークの機器に提供する各種データや各種リソースなどであってもよい。
【０１４１】
（ｂ）  第１〜第７の実施形態では、局内装置５０が宅内装置２０へダウンロードする処理に本発明を適用している。しかし、これに限られず、宅内装置２０が局内装置５０へアップロードする処理に、本発明を適用してもよい。更に、第１の宅内装置２０が第２の宅内装置２０にデータを送信（ダウンロード）する処理に、本発明を適用してもよい。
【符号の説明】
【０１４２】
１０〜１０Ｆ  通信システム
２０  宅内装置
２１  ＵＮＩ部
２２  信号処理部
２３  イーサネットＯＡＭ挿入部
２５  ＶＬＡＮフィルタ部  （宅内側ＶＬＡＮフィルタ部）
２６  イーサネットＯＡＭ分離部（宅内側ＯＡＭフレーム分離部）
２８  ＡＮＩ部  （宅内側インタフェース部）
３０  イーサネットＯＡＭ処理部
３１  ベンダ固有ＯＡＭフレーム生成部  （宅内側ＯＡＭフレーム生成部）
３２  ベンダ固有ＯＡＭフレーム終端部  （宅内側ＯＡＭフレーム終端部）
３３  遠隔監視制御部
３４  インベントリ情報管理部
３５  ＶＬＡＮ管理部
３６  ダウンロード制御部  （宅内側ダウンロード制御部）
３７  ソフトウェア格納部
３９  ＶＬＡＮ管理テーブル
３８  インベントリ情報
５０  局内装置
５１  ＡＮＩ部  （局内側インタフェース部）
５３  イーサネットＯＡＭ挿入部
５５  ＶＬＡＮフィルタ部  （局内側ＶＬＡＮフィルタ部）
５６  イーサネットＯＡＭ分離部
５７  フレーム送信バッファ
５８  ＮＮＩ部
５９  管理網ＩＦ部
６０  イーサネットＯＡＭ処理部
６１  ベンダ固有ＯＡＭフレーム生成部  （局内側ＯＡＭフレーム生成部）
６２  ベンダ固有ＯＡＭフレーム終端部
６３  遠隔監視制御部
６４  宅内装置特定部
６５  ＶＬＡＮ管理部  （局内側ＶＬＡＮ管理部）
６６  ダウンロード制御部  （局内側ダウンロード制御部）
６７  ソフトウェア格納部
６９  ＶＬＡＮ管理テーブル
６８  宅内装置管理テーブル
７０  監視制御装置
８０  イーサネットフレーム
８０Ａ  イーサネットＯＡＭフレーム
８０Ｂ  ベンダ固有ＯＡＭフレーム
８３  ＶＬＡＮタグ
８４  イーサネットタイプ
９６  ＯＡＭデータ
９６Ａ  ベンダ固有ＯＡＭデータ
９６ｅ  メッセージＰＤＵ
２００  イーサネット網
２０１  上位網
２０２  管理網
３００〜３０４  ＶＬＡＮα０〜ＶＬＡＮα４
４００，４０１  ＶＬＡＮβ０，ＶＬＡＮβ１
【図１】
0005785906.tif 000002
【図２】
0005785906.tif 000003
【図３】
0005785906.tif 000004
【図４】
0005785906.tif 000005
【図５】
0005785906.tif 000006
【図６】
0005785906.tif 000007
【図７】
0005785906.tif 000008
【図８】
0005785906.tif 000009
【図９】
0005785906.tif 000010
【図１０】
0005785906.tif 000011
【図１１】
0005785906.tif 000012
【図１２】
0005785906.tif 000013
【図１３】
0005785906.tif 000014
【図１４】
0005785906.tif 000015
【図１５】
0005785906.tif 000016
【図１６】
0005785906.tif 000017
【図１７】
0005785906.tif 000018
【図１８】
0005785906.tif 000019
【図１９】
0005785906.tif 000020